(57)【要約】【課題】本発明は、複数の撮影方式の何れで被写体を撮影しても画質の劣化を防止する。【解決手段】本発明は、光学的異方性を有し、配置角度に応じて撮影光Ｌ１の一方向に対する２つの光線への分離幅を可変可能な光学素子１２を用い、制御部５が角度可変部２３を介して、撮像素子１５で撮影に用いる受光部に対応する画素の一方向の画素ピッチが異なる複数の撮影方式でそれぞれ被写体を撮影する際、光学素子１２を当該撮影方式に応じた配置角度で配置することにより、複数の撮影方式で被写体として人工的な規則性のある模様を撮影する場合、撮像素子１５において撮影像を空間サンプリングする際の画素の一方向の画素ピッチと共にナイキスト周波数が異なっても、撮影像において当該ナイキスト周波数以上の空間周波数の高周波成分を除去して折返歪みを低減させ、複数の撮影方式の何れで被写体を撮影しても画質の劣化を防止することができる。【選択図】図１
2012175449.tif 000002
【特許請求の範囲】
【請求項１】
光学的異方性を有し、配置角度の可変に応じて、被写体を撮影するための撮影光の一方向に対する２つの光線への分離幅を可変可能な光学素子と、
上記光学素子を介して得られる上記撮影光を、撮像面において画像を形成するための上記一方向及び当該一方向と直交する他方向のマトリクス状の複数の画素の位置に配置された複数の受光部で受光して光電変換信号を生成する撮像素子と、
上記光学素子の上記配置角度を可変するための角度可変部と、
上記撮像素子で上記光電変換信号の生成に用いる上記受光部に対応する上記画素の上記一方向の画素ピッチが異なる複数の撮影方式でそれぞれ被写体を撮影する際、上記光学素子を当該撮影方式に応じた上記配置角度で配置するように上記角度可変部を制御する制御部と
を具える撮像装置。
【請求項２】
上記光学素子は、
１つの光学軸を有する一軸性結晶でなる
請求項１に記載の撮像装置。
【請求項３】
上記制御部は、
被写体を撮影する際の上記撮影方式が、上記撮像素子で上記一方向については上記受光部を全て用いて上記光電変換信号を生成する上記撮影方式であると、上記光学素子を上記撮影方式に応じた、上記撮影光を上記光学軸に沿って当該光学素子に入射させる上記配置角度で配置するように上記角度可変部を制御する
請求項２に記載の撮像装置。
【請求項４】
上記光学素子の前、又は当該光学素子と上記撮像素子の上記撮像面との間に配置され、光学的異方性を有し、配置角度の可変に応じて、上記撮影光の上記他方向に対する２つの光線への分離幅を可変可能な他の光学素子と、
上記他の光学素子の上記配置角度を可変するための他の角度可変部と
を具え、
上記制御部は、
複数の上記撮影方式でそれぞれ被写体を撮影する際、上記他の光学素子を当該撮影方式に応じた上記配置角度で配置するように上記他の角度可変部を制御する
請求項３に記載の撮像装置。
【請求項５】
上記他の光学素子は、
１つの光学軸を有する一軸性結晶でなる
請求項４に記載の撮像装置。
【請求項６】
上記制御部は、
被写体を撮影する際の上記撮影方式が、上記撮像素子で上記他方向については上記受光部を全て用いて上記光電変換信号を生成する上記撮影方式であると、上記他の光学素子を上記撮影方式に応じた、上記撮影光を上記光学軸に沿って当該他の光学素子に入射させる上記配置角度で配置するように上記他の角度可変部を制御する
請求項５に記載の撮像装置。
【請求項７】
複数の上記撮影方式の少なくとも１以上の当該撮影方式は、
上記撮像素子で上記光電変換信号の生成に用いる上記受光部に対応する上記画素の上記他方向の画素ピッチが他の上記撮影方式とは異なる
請求項６に記載の撮像装置。
【請求項８】
上記光学素子及び上記他の光学素子の少なくとも一方は、
上記撮影光が入射する一面に赤外線を除去する赤外線カットフィルタ膜が形成された
請求項７に記載の撮像装置。
【請求項９】
上記光学素子及び上記他の光学素子の少なくとも一方は、
上記撮影光を出射する他面に反射防止膜が形成された
請求項７に記載の撮像装置。
【請求項１０】
光学的異方性を有し、配置角度の可変に応じて、被写体を撮影するための撮影光の一方向に対する２つの光線への分離幅を可変可能な光学素子を介して得られる上記撮影光を、撮像面において画像を形成するための上記一方向及び当該一方向と直交する他方向のマトリクス状の複数の画素の位置に配置された複数の受光部で受光して光電変換信号を生成する撮像素子で上記光電変換信号の生成に用いる上記受光部に対応する上記画素の上記一方向の画素ピッチが異なる複数の撮影方式でそれぞれ被写体を撮影する際、上記光学素子を当該撮影方式に応じた上記配置角度で配置するように、上記光学素子の上記配置角度を可変するための角度可変部を制御する制御ステップ
を具える撮像方法。
【請求項１１】
コンピュータに
光学的異方性を有し、配置角度の可変に応じて、被写体を撮影するための撮影光の一方向に対する２つの光線への分離幅を可変可能な光学素子を介して得られる上記撮影光を、撮像面において画像を形成するための上記一方向及び当該一方向と直交する他方向のマトリクス状の複数の画素の位置に配置された複数の受光部で受光して光電変換信号を生成する撮像素子で上記光電変換信号の生成に用いる上記受光部に対応する上記画素の上記一方向の画素ピッチが異なる複数の撮影方式でそれぞれ被写体を撮影する際、上記光学素子を当該撮影方式に応じた上記配置角度で配置するように、上記光学素子の上記配置角度を可変するための角度可変部を制御する制御ステップ
を実行させるための撮像制御プログラム。
【発明の詳細な説明】
【技術分野】
【０００１】
本発明は撮像装置、撮像方法及び撮像制御プログラムに関し、例えば、複数の撮影方式で被写体を撮影可能なデジタルスチルカメラに適用して好適なものである。
【背景技術】
【０００２】
近年、例えば、被写体を含む撮影範囲から到来する撮影光を１つの撮像素子の撮像面で受光するようにして当該被写体をカラーで写真撮影可能な単板方式と呼ばれるデジタルスチルカメラが一般に広く普及している。
【０００３】
また、このようなデジタルスチルカメラとしては、被写体を写真撮影して得られる写真画像の画質を向上させるために、年々、撮像素子の解像度を増加させる傾向にあり、現在では、撮像素子の画素数が１０００万画素以上のものも普及している。
【０００４】
例えば、撮像素子の撮像面には、写真画像を形成するためのマトリクス状の複数の画素の位置にそれぞれ受光部が配置されている。
【０００５】
また、このようなデジタルスチルカメラにおいて撮像素子の撮像面には、複数の受光部上にＲ（赤）、Ｇ（緑）、Ｂ（青）の複数のカラーフィルタがベイヤ型配列で配置されている。
【０００６】
そして、このようなデジタルスチルカメラでは、被写体を写真撮影する際、撮像素子において撮像面の全ての受光部で、それぞれ受光した撮影光を光電変換するようにして、得られた光電変換信号に基づき写真画像を生成している。
【０００７】
言い換えると、デジタルスチルカメラでは、被写体を写真撮影する際、撮像素子において撮像面に撮影光により結像した被写体を含む撮影範囲の撮影像を（すなわち、全ての受光部に対応する全ての画素を）空間サンプリングするようにして写真画像を生成している。
【０００８】
ただし、デジタルスチルカメラでは、例えば、被写体として人工的な規則性のある模様を写真撮影する際、撮影像の空間周波数に空間サンプリング周波数の１／２の周波数であるナイキスト周波数以上の高周波成分が含まれていると、折返歪みが生じる。
【０００９】
すなわち、デジタルスチルカメラでは、撮像素子において撮影像を空間サンプリングする際の画素の画素ピッチよりも細かい人工的な規則性のある模様を写真撮影すると、当該撮像素子による撮影像の空間サンプリングの際に折返歪みが生じる。
【００１０】
因みに、この場合の空間サンプリング周波数は、撮像素子において撮影像を空間サンプリングする際の画素の画素ピッチ（すなわち、隣接する画素の画像ピッチ）の逆数で表される周波数である。
【００１１】
そしてデジタルスチルカメラでは、撮像素子による撮影像の空間サンプリングの際に折返歪みが生じると、その折返歪みが偽信号として光電変換信号に重畳され、その光電変換信号に基づいて得られる写真画像に偽色や色モアレが発生して画質が劣化する。
【００１２】
このため、従来のデジタルスチルカメラは、外部から到来する撮影光を取り込む撮像光学系の後方に、光学的異方性を有する光透過性フィルムが、当該光透過性フィルムの一面を撮像光学系の光軸と直交する姿勢よりも傾けて配置されている。
【００１３】
また従来のデジタルスチルカメラは、光透過性フィルムの後方に撮像素子が撮像面を、撮像光学系の光軸と直交させて配置されている。
【００１４】
そして従来のデジタルスチルカメラは、写真撮影の際、撮像光学系を介して取り込んだ撮影光を、光透過性フィルムの複屈折により、空間サンプリングの際の画素の画素ピッチ程度の分離幅で第１光線と第２光線とに分離して撮像素子の撮像面で受光する。
【００１５】
このように従来のデジタルスチルカメラは、光透過性フィルムを光学ローパスフィルタとして機能させて、撮像素子の撮像面に結像した撮影像をぼかすことにより、当該撮影像において空間周波数の高周波成分を除去している。
【００１６】
これにより撮像装置は、例えば、被写体として人工的な規則性のある模様を写真撮影した際、撮像素子において撮影像を空間サンプリングしても、折返歪みが生じて写真画像に偽色や色モアレが発生することを抑えていた（例えば、特許文献１参照）。
【先行技術文献】
【特許文献】
【００１７】
【特許文献１】特開２０１１−１５１２６公報（第９頁、第１０頁、図６）
【発明の概要】
【発明が解決しようとする課題】
【００１８】
ところで、一般に広く普及しているデジタルスチルカメラとしては、被写体の撮影状態の確認用に、銀塩フィルム用のスチルカメラに設けられるような光学式ビューファインダではなく、ディスプレイや電子式ビューファインダが設けられたものがある。
【００１９】
そして、かかるデジタルスチルカメラでは、被写体の写真撮影に先立ち、当該被写体を撮影状態の確認用に連続撮影しながら、得られた連続するフレーム画像からなる確認用画像を動画像のようにディスプレイや電子式ビューファインダに表示する。因みに、以下の説明では、被写体に対する撮影状態の確認用の連続撮影を、単に連続撮影とも呼ぶ。
【００２０】
これによりデジタルスチルカメラでは、光学式ビューファインダが設けられたスチルカメラとは異なり、被写体の写真撮影に先立ち、確認用画像により撮影状態として撮影範囲や構図と共に露出やオートホワイトバランス等も確認させることができる。
【００２１】
また一般に広く普及しているデジタルスチルカメラとしては、被写体を写真撮影や連続撮影するだけではなく、撮影状況に応じて動画撮影して、連続するフレーム画像からなる動画像を得ることができるものも普及している。
【００２２】
そして、かかるデジタルスチルカメラでは、被写体を動画撮影する場合、フレームレートを比較的高くすることで、動きの滑らかな動画像を得るようにしている。
【００２３】
また、かかるデジタルスチルカメラでは、被写体を連続撮影する場合もフレームレートを比較的高くすることで、撮影条件の変更を確認用画像に素早く反映させて撮影状態を迅速に確認させるようにしている。
【００２４】
ただし、かかるデジタルスチルカメラでは、フレームレートを高くするために、撮像素子や当該デジタルスチルカメラ全体の動作クロックを高速化すると、消費電力が増加し、また撮像素子の発熱量が増大する。
【００２５】
このためデジタルスチルカメラでは、被写体を動画撮影や連続撮影する場合、撮像素子において受光部を間引いて利用して光電変換信号を生成することで、消費電力や撮像素子の発熱を低減させている。
【００２６】
すなわち、デジタルスチルカメラでは、被写体を動画撮影や連続撮影する場合、撮像素子により撮影像を、画素を間引いて（すなわち、利用する受光部を減らして）空間サンプリングすることで、消費電力や撮像素子の発熱を低減させている。
【００２７】
そして上述した従来のデジタルスチルカメラについても、一般に広く普及しているデジタルスチルカメラと同様に、被写体の動画撮影や連続撮影も可能なように構成すれば、使い勝手が一段と向上すると考えられる。
【００２８】
ところが、従来のデジタルスチルカメラでは、被写体の写真撮影の際、撮像素子により撮影像を、何ら画素を間引かずに（すなわち、全ての受光部を利用して）空間サンプリングしている。
【００２９】
そして従来のデジタルスチルカメラでは、被写体の動画撮影において撮影像を、画素を間引いて空間サンプリングすると、その空間サンプリングの際の画素の画素ピッチが、写真撮影時の空間サンプリングの際の画素の画素ピッチよりも広くなる。
【００３０】
また従来のデジタルスチルカメラでは、被写体の連続撮影においても撮影像、画素を間引いて空間サンプリングすると、その空間サンプリングの際の画素の画素ピッチが、写真撮影時の空間サンプリングの際の画素の画素ピッチより広くなる。
【００３１】
よって従来のデジタルスチルカメラでは、被写体の動画撮影や連続撮影において撮影像を、画素を間引いて空間サンプリングすると、画素ピッチの逆数である空間サンプリング周波数が写真撮影の際の空間サンプリング周波数よりも低くなる。
【００３２】
その結果、従来のデジタルスチルカメラでは、被写体の動画撮影や連続撮影の際、空間サンプリング周波数の１／２の周波数であるナイキスト周波数も、写真撮影の際のナイキスト周波数より低くなる。
【００３３】
そして従来のデジタルスチルカメラでは、光透過性フィルムによる撮影光の分離幅が、被写体の写真撮影において撮影像を空間サンプリングする際の画素（何ら間引きの無い画素）の画素ピッチ程度となるように選定されている。
【００３４】
このため、従来のデジタルスチルカメラでは、被写体として人工的な規則性のある模様を動画撮影する際、撮影像の空間周波数に当該動画撮影に対応するナイキスト周波数以上の高周波成分が含まれていると、光透過性フィルムにより撮影像をぼかすようにしても、その高周波成分を十分には除去することができない。
【００３５】
また従来のデジタルスチルカメラでは、被写体として人工的な規則性のある模様を連続撮影する際に、撮影像の空間周波数に当該連続撮影に対応するナイキスト周波数以上の高周波成分が含まれている場合も、同様に当該高周波成分を十分には除去することができない。
【００３６】
従って従来のデジタルスチルカメラでは、人工的な規則性のある模様を動画撮影や連続撮影した際に、撮影像の空間周波数に、動画撮影や連続撮影に対応するナイキスト周波数以上の高周波成分が含まれていると、撮影像の空間サンプリングにより折返歪みが生じる。
【００３７】
そして従来のデジタルスチルカメラでは、動画撮影や連続撮影において折返歪みが生じると、その折返歪みが偽信号として光電変換信号に重畳され、動画像や確認用画像に偽色や色モアレが発生して画質が劣化することになる。
【００３８】
このため従来のデジタルスチルカメラは、被写体を写真撮影や動画撮影、連続撮影のように複数の撮影方式で撮影し得るように構成しても、偽色や色モアレの発生を抑えて画質の劣化を防止するには未だ不十分であるという問題があった。
【００３９】
本発明は以上の点を考慮してなされたもので、複数の撮影方式の何れで被写体を撮影しても画質の劣化を防止し得る撮像装置、撮像方法及び撮像制御プログラムを提案しようとするものである。
【課題を解決するための手段】
【００４０】
かかる課題を解決するため本発明においては、撮像装置において、光学的異方性を有し、配置角度の可変に応じて、被写体を撮影するための撮影光の一方向に対する２つの光線への分離幅を可変可能な光学素子と、当該光学素子を介して得られる撮影光を、撮像面において画像を形成するための一方向及び当該一方向と直交する他方向のマトリクス状の複数の画素の位置に配置された複数の受光部で受光して光電変換信号を生成する撮像素子と、光学素子の配置角度を可変するための角度可変部と、撮像素子で光電変換信号の生成に用いる受光部に対応する画素の一方向の画素ピッチが異なる複数の撮影方式でそれぞれ被写体を撮影する際、光学素子を当該撮影方式に応じた配置角度で配置するように角度可変部を制御する制御部とを設けるようにした。
【００４１】
従って本発明では、複数の撮影方式でそれぞれ被写体として人工的な規則性のある模様を撮影する際、撮像素子において撮影光により撮像面に結像した撮影像を空間サンプリングする際の画素の一方向の画素ピッチと共に当該一方向に対する空間サンプリング周波数及びナイキスト周波数が異なっても、撮影像において画素ピッチに応じたナイキスト周波数以上の空間周波数の高周波成分を除去して、当該撮影像の空間サンプリングで折返歪みが生じることを低減させることができる。
【発明の効果】
【００４２】
本発明によれば、光学的異方性を有し、配置角度の可変に応じて、被写体を撮影するための撮影光の一方向に対する２つの光線への分離幅を可変可能な光学素子と、当該光学素子を介して得られる撮影光を、撮像面において画像を形成するための一方向及び当該一方向と直交する他方向のマトリクス状の複数の画素の位置に配置された複数の受光部で受光して光電変換信号を生成する撮像素子と、光学素子の配置角度を可変するための角度可変部と、撮像素子で光電変換信号の生成に用いる受光部に対応する画素の一方向の画素ピッチが異なる複数の撮影方式でそれぞれ被写体を撮影する際、光学素子を当該撮影方式に応じた配置角度で配置するように角度可変部を制御する制御部とを設けるようにしたことにより、複数の撮影方式でそれぞれ被写体として人工的な規則性のある模様を撮影する際、撮像素子において撮影光により撮像面に結像した撮影像を空間サンプリングする際の画素の一方向の画素ピッチと共に当該一方向に対する空間サンプリング周波数及びナイキスト周波数が異なっても、撮影像において画素ピッチに応じたナイキスト周波数以上の空間周波数の高周波成分を除去して、当該撮影像の空間サンプリングで折返歪みが生じることを低減させることができ、かくして複数の撮影方式の何れで被写体を撮影しても画質の劣化を防止し得る撮像装置、撮像方法及び撮像制御プログラムを実現することができる。
【図面の簡単な説明】
【００４３】
【図１】本発明によるデジタルスチルカメラの回路構成の一実施の形態を示すブロック図である。
【図２】撮像素子の構成を示す略線的正面図である。
【図３】連続撮影時の撮像素子における光電変換信号の生成の説明に供する略線的正面図である。
【図４】写真撮影時の撮像素子における光電変換信号の生成の説明に供する略線的正面図である。
【図５】動画撮影時の撮像素子における光電変換信号の生成の説明に供する略線的正面図である。
【図６】異方性光学素子の屈折率の特性を表す屈折率楕円体の説明に供する略線的斜視図である。
【図７】異方性光学素子における配置角度を可変した場合の屈折率の特性の変化（１）の説明に供する略線的斜視図である。
【図８】異方性光学素子における配置角度を可変した場合の屈折率の特性の変化（２）の説明に供する略線的平面図である。
【図９】異方性光学素子による垂直配置姿勢での撮影光の透過の説明に供する略線的斜視図である。
【図１０】異方性光学素子による傾斜配置姿勢での撮影光の通常光線及び異常光線への分離の説明に供する略線的斜視図である。
【図１１】撮影方式に応じた異方性光学素子の配置角度の説明に供する略線図である。
【図１２】第１撮影方式で被写体を写真撮影する際の撮影光の分離の説明に供する略線的斜視図である。
【図１３】第２撮影方式で被写体を写真撮影する際の撮影光の分離の説明に供する略線的斜視図である。
【図１４】異方性光学素子の一面及び他面の構成を示す略線的側面図である。
【図１５】異方性光学素子の他面に反射防止膜が形成されていない場合の撮影光の反射の説明に供する略線的側面図である。
【図１６】異方性光学素子の一面に形成された赤外線カットフィルタの特性を示す略線図である。
【図１７】写真撮影モード時の撮像制御処理手順を示すフローチャートである。
【図１８】動画撮影モード時の撮像制御処理手順を示すフローチャートである。
【図１９】撮影光の通常光線及び異常光線への分離の変形例（１）を示す略線的斜視図及び略線的側面図である。
【図２０】撮影光の通常光線及び異常光線への分離の変形例（２）を示す略線的斜視図及び略線的側面図である。
【発明を実施するための形態】
【００４４】
以下図面を用いて、発明を実施するための最良の形態（以下、これを実施の形態とも呼ぶ）について説明する。なお、説明は以下の順序で行う。
１．実施の形態
２．変形例
【００４５】
＜１．実施の形態＞
［１−１．デジタルスチルカメラの構成］
図１において、１は全体として本発明を適用した、被写体を複数の撮影方式で撮影可能な単板方式のデジタルスチルカメラを示す。かかるデジタルスチルカメラ１は、例えば、マイクロプロセッサ構成の制御部５を有している。
【００４６】
制御部５は、内部のメモリに予め記憶された基本プログラムや撮像制御プログラム、アプリケーションプログラム等の各種プログラムに従いデジタルスチルカメラ１全体を制御すると共に、所定の演算処理を実行する。
【００４７】
またデジタルスチルカメラ１は、例えば、筐体（図示せず）に写真撮影の指示や動画撮影の開始及び終了を指示するためのシャッタボタン、ズームボタン、撮影方式選択ボタン等の各種操作ボタンが設けられている。
【００４８】
さらにデジタルスチルカメラ１は、例えば、筐体に液晶ディスプレイ又は有機ＥＬ（Electro  Luminescence）ディスプレイのようなディスプレイ６が設けられると共に、当該ディスプレイ６の表示面上にタッチパネルが設けられている。
【００４９】
そして制御部５は、各種プログラムに従い、これら各種操作ボタンやタッチパネルからなる操作部７の操作に応じた各種処理も実行する。
【００５０】
これにより制御部５は、被写体を写真撮影する写真撮影モード時や被写体を動画撮影する動画撮影モード時、複数の撮影方式として例えば、４つの第１撮影方式乃至第４撮影方式で被写体を撮影し得るようになされている。
【００５１】
この場合、第１撮影方式は、被写体の写真撮影に適用され、当該被写体の写真撮影の際、被写体を含む撮影範囲の撮影像を、画素を間引かずに空間サンプリングするようにして写真画像を生成するものである。因みに、以下の説明では、被写体を含む撮影範囲の撮影像を、単に撮影像とも呼ぶ。
【００５２】
そして第１撮影方式を適用した被写体の写真撮影では、後述するように撮影像の解像度の低下を極力低減させて写真画像の画質の劣化を極力抑えるようにしている。
【００５３】
また第２撮影方式も、被写体の写真撮影に適用され、当該被写体の写真撮影の際、撮影像を、画素を間引かずに空間サンプリングするようにして写真画像を生成するものである。
【００５４】
ただし、第２撮影方式を適用した被写体の写真撮影では、後述するように撮影像を空間サンプリングする際に折返歪みが生じることを低減させて、写真画像に対する偽色や色モアレの発生を低減させるようにしている。
【００５５】
さらに第３撮影方式は、被写体の動画撮影に適用され、当該被写体の動画撮影の際、撮影像を、画素を所定の割合で間引いて空間サンプリングするようにして動画像を生成するものである。
【００５６】
そして第３撮影方式を適用した被写体の動画撮影では、後述するように撮影像を空間サンプリングする際に折返歪みが生じることを低減させて、動画像に対する偽色や色モアレの発生を低減させるようにしている。
【００５７】
さらに第４撮影方式は、被写体の撮影状態を確認するための連続撮影に適用され、当該被写体を撮影状態の確認用に連続撮影する際、撮影像を、画素を第３撮影方式とは異なる割合で間引いて空間サンプリングするようにして確認用画像を生成するものである。因みに、以下の説明では、被写体の撮影状態を確認するための連続撮影を、単に連続撮影とも呼ぶ。
【００５８】
そして第４撮影方式を適用した被写体の連続撮影では、撮影像を空間サンプリングする際に折返歪みが生じることを低減させて、確認用画像に対する偽色や色モアレの発生を低減させるようにしている。
【００５９】
ここで、第１撮影方式及び第２撮影方式は、何れも被写体を写真撮影するための撮影方式であるが、後述するように、写真撮影により撮影像を空間サンプリングする際の当該撮影像のぼかしの程度が異なるものである。
【００６０】
すなわち、上述したが、例えば、被写体として人工的な規則性のある模様を写真撮影するときに撮影像を何らぼかさないと、写真画像に偽色や色モアレが発生する場合がある。
【００６１】
このため第２撮影方式では、写真撮影の際に空間サンプリングする撮影像をある程度ぼかすようにしており、これにより例えば、人工的な規則性のある模様を写真撮影しても写真画像に対する偽色や色モアレの発生を低減させるようにしている。
【００６２】
これに対し例えば、被写体として草木の茂りが作り出すような自然な模様を写真撮影するときには、その自然な模様には何ら規則性が無いため、写真画像に偽色や色モアレが発生する度合いが低く、仮に偽色や色モアレが発生しても目立ちにくい。
【００６３】
にもかかわらず、被写体として自然な模様を写真撮影するとき、第２撮影方式のように撮影像をぼかしたのでは、当該撮影像の解像度が低下して写真画像の画質が劣化する可能性がある。
【００６４】
このため第１撮影方式では、例えば、自然な模様の写真撮影に好適な撮影方式として、写真撮影の際に第２撮影方式よりも空間サンプリングする撮影像のぼかしを少なくして、撮影像の解像度の低下と共に写真画像の画質の劣化を防止するようにしている。
【００６５】
また例えば、被写体として人工的な規則性のある模様を動画撮影するときや連続撮影するときにも撮影像を何らぼかさないと、動画像や確認用画像に偽色や色モアレが発生する場合がある。
【００６６】
このため第３撮影方式では、動画撮影の際に空間サンプリングする撮影像をある程度ぼかすようにしており、これにより例えば、人工的な規則性のある模様を動画撮影しても動画像に対する偽色や色モアレの発生を低減させるようにしている。
【００６７】
また第４撮影方式でも、連続撮影の際に空間サンプリングする撮影像をある程度ぼかすようにしており、これにより例えば、人工的な規則性のある模様を連続撮影しても確認用画像に対する偽色や色モアレの発生を低減させるようにしている。
【００６８】
次いで、被写体を写真撮影する写真撮影モードでの  被写体の撮影と、被写体を動画撮影する動画撮影モードでの被写体の撮影とについて順番に説明する。
【００６９】
ただし、制御部５は、写真撮影モードへの移行前や当該写真撮影モードの実行中に操作部７（撮影方式選択ボタン）を介して、写真撮影に適用する撮影方式を第１撮影方式及び第２撮影方式のうちから任意に選択させている。
【００７０】
よって制御部５は、写真撮影対象の被写体に応じて、第１撮影方式及び第２撮影方式のうち、より良い撮影方式で当該被写体を写真撮影し得るようになされている。
【００７１】
実際に制御部５は、写真撮影モード時、外部の被写体を含む撮影範囲から到来する撮影光Ｌ１を、撮像部１０に取り込む。そして制御部５は、撮像部１０において、その撮影光Ｌ１を撮像光学系１１、光学的異方性を有する光学素子１２、位相解消板１３及び光学ローパスフィルタ１４に順次通して撮像素子１５の撮像面１５Ａで受光する。
【００７２】
ここで、撮像光学系１１は、矢印Ａで示す方向と平行な当該撮像光学系１１の光軸に沿って配置された撮像レンズやズームレンズ、フォーカスレンズ、絞り等の種々の光学素子を有している。
【００７３】
因みに、以下の説明では、矢印Ａで示す方向を、光軸方向と呼び、当該光軸方向と偏光な撮像光学系１１の光軸を、撮像光軸とも呼ぶ。
【００７４】
また撮像光学系１１は、例えば、ズームレンズやフォーカスレンズ、絞り等の特定の光学素子を駆動するためのモータも有している。
【００７５】
因みに、以下の説明では、撮像光学系１１の後に配置された光学的異方性を有する光学素子１２を、当該撮像光学系１１に含まれる光学素子とは区別するために、便宜上、異方性光学素子１２とも呼ぶ。
【００７６】
一方、撮像素子１５は、ＣＣＤ（Charge  Coupled  Device）イメージセンサ又はＣＭＯＳ（Complementary  Metal  Oxide  Semiconductor）イメージセンサ等でなり、撮像面１５Ａを撮像光軸と直交させるようにして配置されている。
【００７７】
そして図２に示すように、撮像素子１５の撮像面１５Ａには、画像を形成するための例えば、矢印Ｂで示す水平方向及び矢印Ｃで示す垂直方向のマトリクス状の複数の画素ＰＸの位置にそれぞれ受光部（図示せず）が配置されている。因みに、光軸方向、水平方向及び垂直方向は、互いに直交する方向である。
【００７８】
また撮像素子１５の撮像面１５Ａには、例えば、複数の受光部上に個数の比率が１：２：１となるＲ（赤）、Ｇ（緑）、Ｂ（青）の複数のカラーフィルタＲＣＦ、ＧＣＦ、ＢＣＦがベイヤ型配列で配置されている。
【００７９】
すなわち、撮像面１５Ａには、水平方向に２画素×垂直方向に２画素の４画素毎に、左上及び右下の画素の位置にはＲ及びＢのカラーフィルタＲＣＦ及びＢＣＦが配置されると共に、左下及び右上の画素の位置には共にＧのカラーフィルタＧＣＦが配置されている。
【００８０】
制御部５は、撮像素子１５の撮像面１５Ａで撮影光Ｌ１を受光しながら、被写体を実際に写真撮影するとき以外は、第４撮影方式に従って当該撮像素子１５とカメラ信号処理部１７とを制御する。これにより制御部５は、第４撮影方式による被写体の連続撮影を実行する。
【００８１】
この場合、図３に示すように、撮像素子１５は、水平方向と平行なライン毎の複数の受光部のうち、例えば、垂直方向に沿って順次５ライン毎に１ライン（すなわち、４ラインおきに１ライン）の複数の受光部でそれぞれ受光した撮影光Ｌ１を光電変換する。
【００８２】
すなわち、撮像素子１５は、この際、撮像面１５Ａの受光部をライン単位で１／５に間引くようにして、当該１／５の受光部のみを連続撮影に利用して撮影光Ｌ１を光電変換することによりアナログの光電変換信号を生成する。
【００８３】
言い換えると、撮像素子１５は、撮像面１５Ａに撮影光Ｌ１により結像された撮影像を、画素を水平方向へは何ら間引かず、垂直方向へのみ順次５画素毎に４画素を間引いて空間サンプリングする。
【００８４】
よって撮像素子１５は、この際、撮影像を、水平方向に対しては何ら間引かない画素の画素ピッチの逆数である空間サンプリング周波数で空間サンプリングしている。
【００８５】
また撮像素子１５は、その撮影像を、垂直方向に対しては間引きに応じた画素の画素ピッチ（すなわち、４画素分離隔した画素の画素ピッチ）の逆数である空間サンプリング周波数で空間サンプリングしている。
【００８６】
また撮像素子１５は、このように順次５ライン毎に１ラインの複数の受光部でそれぞれ撮影光Ｌ１を光電変換して光電変換信号を生成すると、当該生成し光電変換信号をカメラ信号処理部１７に送出する。
【００８７】
さらに撮像素子１５は、このように１／５の受光部を用いる光電変換信号の生成処理を所定周期で順次実行すると共に、当該生成処理を実行して光電変換信号を生成する毎に、その生成した光電変換信号をカメラ信号処理部１７に送出する。
【００８８】
カメラ信号処理部１７は、撮像素子１５から１／５の受光部を用いて生成された光電変換信号が与えられる毎に、当該光電変換信号に増幅処理やノイズ低減処理等のアナログ処理を施してアナログの撮像信号を生成する。
【００８９】
そしてカメラ信号処理部１７は、撮像信号を生成する毎に、当該撮像信号をアナログデジタル変換処理して撮像データを生成する。
【００９０】
またカメラ信号処理部１７は、撮像データを生成する毎に、当該撮像データに黒レベル補正処理やホワイトバランス調整処理、ガンマ補正処理、ディスプレイ６の解像度に応じた画像縮小処理等の第４撮影方式に準じた撮影状態提示用のデジタル処理を施す。
【００９１】
これによりカメラ信号処理部１７は、その撮像データをもとに、撮影状態を確認用させるための確認用画像データを構成する時間的に連続な複数のフレーム画像データを順次生成する。
【００９２】
またカメラ信号処理部１７は、確認用画像データを構成する時間的に連続なフレーム画像データを生成する毎に、当該生成したフレーム画像データをディスプレイ６に送出する。
【００９３】
これによりカメラ信号処理部１７は、ディスプレイ６に、時間的に連続な複数のフレーム画像データに基づく複数のフレーム画像を順次切り換えて撮影状態の確認用の確認用画像として動画像のように表示する。
【００９４】
この状態で制御部５は、例えば、操作部７が操作されフォーカスや露出の調整が指示されると、ドライバ１８を介して、撮像光学系１１においてモータを適宜動作させてフォーカスレンズの位置や絞りの開口量を調整する。これにより制御部５は、被写体を含む撮影範囲に対するフォーカスや露出を調整する。
【００９５】
また制御部５は、この際、操作部７が操作されズームが指示されると、ドライバ１８を介して、撮像光学系１１においてモータを動作させてズームレンズを撮像光軸に沿って移動させる。これにより制御部５は、撮影範囲を広げ又は狭めるようにズーム倍率を調整する。
【００９６】
このようにして制御部５は、被写体を連続撮影しながら、ディスプレイ６に表示した確認用画像により当該被写体の撮像状態として、撮影範囲や構図、フォーカス等を確認させることができる。
【００９７】
また制御部５は、写真撮影モード時、第１撮影方式が選択された状態で操作部７が操作（シャッタボタンが押下）され写真撮影が指示されると、当該第１撮影方式に従って撮像素子１５とカメラ信号処理部１７及び画像処理部１９とを制御する。
【００９８】
これにより制御部５は、第１撮影方式による被写体の写真撮影を実行する。実際に制御部５は、撮像素子１５において撮影光Ｌ１により撮像面１５Ａを所定のシャッタスピードで写真撮影用に露光する。
【００９９】
この際、図４に示すように、撮像素子１５は、撮像面１５Ａの全ての受光部でそれぞれ受光した撮影光Ｌ１を光電変換してアナログの光電変換信号を生成する。
【０１００】
すなわち、撮像素子１５は、撮像面１５Ａに撮影光Ｌ１により結像された撮影像を、画素を水平方向及び垂直方向へは何ら間引かずに空間サンプリングする。
【０１０１】
よって撮像素子１５は、この際、撮影像を、水平方向に対しては何ら間引かない画素の画素ピッチの逆数である空間サンプリング周波数で空間サンプリングしている。
【０１０２】
また撮像素子１５は、その撮影像を、垂直方向に対しても何ら間引かない画素の画素ピッチの逆数である空間サンプリング周波数で空間サンプリングしている。
【０１０３】
そして撮像素子１５は、このように光電変換信号を生成すると、その光電変換信号をカメラ信号処理部１７に送出する。
【０１０４】
カメラ信号処理部１７は、この際、撮像素子１５から全ての受光部を用いて生成された光電変換信号が与えられると、当該光電変換信号に増幅処理やノイズ低減処理等のアナログ処理を施してアナログの撮像信号を生成する。またカメラ信号処理部１７は、撮像信号をアナログデジタル変換処理してデジタルの撮像データを生成する。
【０１０５】
さらにカメラ信号処理部１７は、撮像データに黒レベル補正処理やホワイトバランス調整処理、ガンマ補正処理、予め写真画像用に選定された画像サイズに応じた画像縮小処理等の第１撮影方式に準じた写真撮影用のデジタル処理を施す。
【０１０６】
これによりカメラ信号処理部１７は、その撮像データをもとに写真画像データを生成し、当該生成した写真画像データを画像処理部１９に送出する。
【０１０７】
画像処理部１９は、カメラ信号処理部１７から写真画像データが与えられると、当該写真画像データに所定の圧縮符号化方式で圧縮符号化処理を施して圧縮写真画像データを生成する。
【０１０８】
そして画像処理部１９は、その圧縮写真画像データを記録媒体２０に送出して、当該記録媒体２０に圧縮写真画像データを記録する。
【０１０９】
このようにして制御部５は、第１撮影方式で被写体を写真撮影して、その結果得られた写真画像データを圧縮符号化して記録媒体２０に記録することができる。
【０１１０】
さらに制御部５は、写真撮影モード時、第２撮影方式が選択された状態で操作部７が操作（シャッタボタンが押下）され写真撮影が指示されると、当該第２撮影方式に従って撮像素子１５とカメラ信号処理部１７及び画像処理部１９とを制御する。
【０１１１】
これにより制御部５は、第２撮影方式による被写体の写真撮影を実行する。この際、制御部５は、上述した写真撮影の際と同様に、撮像素子１５において撮影光Ｌ１により撮像面１５Ａを所定のシャッタスピードで写真撮影用に露光する。
【０１１２】
そして撮像素子１５は、上述した写真撮影の際と同様（すなわち、図４について上述した場合と同様）に、撮像面１５Ａの全ての受光部でそれぞれ受光した撮影光Ｌ１を光電変換して光電変換信号を生成しカメラ信号処理部１７に送出する。
【０１１３】
カメラ信号処理部１７は、この際、撮像素子１５から全ての受光部を用いて生成された光電変換信号が与えられると、当該光電変換信号に上述した写真撮影の際と同様のアナログ処理を施してアナログの撮像信号を生成する。またカメラ信号処理部１７は、撮像信号をアナログデジタル変換処理してデジタルの撮像データを生成する。
【０１１４】
さらにカメラ信号処理部１７は、撮像データに黒レベル補正処理やホワイトバランス調整処理、ガンマ補正処理、予め写真撮影用に選定された画像サイズに応じた画像縮小処理等の第２撮影方式に準じた写真撮影用のデジタル処理を施す。
【０１１５】
これによりカメラ信号処理部１７は、その撮像データをもとに写真画像データを生成し、当該生成した写真画像データを画像処理部１９に送出する。
【０１１６】
画像処理部１９は、カメラ信号処理部１７から写真画像データが与えられると、上述した写真撮影の際と同様に、当該写真画像データに所定の圧縮符号化方式で圧縮符号化処理を施して圧縮写真画像データを生成する。
【０１１７】
そして画像処理部１９は、その圧縮写真画像データを記録媒体２０に送出して、当該記録媒体２０に圧縮写真画像データを記録する。
【０１１８】
このようにして制御部５は、第２撮影方式で被写体を写真撮影した場合も、その写真撮影によって得られた写真画像データを圧縮符号化して記録媒体２０に記録することができる。
【０１１９】
一方、制御部５は、動画撮影モード時も外部の被写体を含む撮影範囲から到来する撮影光Ｌ１を、撮像部１０において撮像光学系１１、異方性光学素子１２、位相解消板１３及び光学ローパスフィルタ１４を順次介して撮像素子１５の撮像面１５Ａで受光する。
【０１２０】
そして制御部５は、撮像素子１５の撮像面１５Ａで撮影光Ｌ１を受光しながら、被写体を実際に動画撮影している間以外は、上述した写真撮影モード時と同様に第４撮影方式に従って撮像素子１５とカメラ信号処理部１７とを制御する。
【０１２１】
これにより制御部５は、撮像素子１５及びカメラ信号処理部１７と共に、上述した写真撮影モード時と同様の処理を実行して第４撮影方式により被写体を連続撮影する。
【０１２２】
よって制御部５は、この際にも被写体を連続撮影しながら、ディスプレイ６に表示した確認用画像により当該被写体の撮像状態として、撮影範囲や構図、フォーカス等を確認させることができる。
【０１２３】
この状態で制御部５は、操作部７が操作（シャッタボタンが押下）され動画撮影の開始が指示されると、第３撮影方式に従って撮像素子１５とカメラ信号処理部１７及び画像処理部１９とを制御する。これにより制御部５は、第３撮影方式による被写体の動画撮影を開始する。
【０１２４】
そして制御部５は、この後、操作部７が操作（シャッタボタンが押下）され動画撮影の終了が指示されるまでの間は、第３撮影方式に従って撮像素子１５とカメラ信号処理部１７及び画像処理部１９とを制御し続ける。
【０１２５】
これにより制御部５は、動画撮影の開始が指示されてから終了が指示されるまでの間は、第３撮影方式による被写体の動画撮影を継続して実行する。
【０１２６】
この場合、図５に示すように、撮像素子１５は、ライン毎の複数の受光部のうち、例えば、垂直方向に沿って順次３ライン毎に１ライン（すなわち、２ラインおきに１ライン）の複数の受光部でそれぞれ受光した撮影光Ｌ１を光電変換する。
【０１２７】
すなわち、撮像素子１５は、この際、撮像面１５Ａの受光部をライン単位で１／３に間引くようにして、当該１／３の受光部のみを動画撮影に利用して撮影光Ｌ１を光電変換することによりアナログの光電変換信号を生成する。
【０１２８】
言い換えると、撮像素子１５は、撮像面１５Ａに撮影光Ｌ１により結像された撮影像を、画素を水平方向へは何ら間引かず、垂直方向へのみ順次３画素毎に２画素を間引いて空間サンプリングする。
【０１２９】
よって撮像素子１５は、この際、撮影像を、水平方向に対しては何ら間引かない画素の画素ピッチの逆数である空間サンプリング周波数で空間サンプリングしている。
【０１３０】
また撮像素子１５は、その撮影像を、垂直方向に対しては間引きに応じた画素の画素ピッチ（すなわち、２画素分離隔した画素の画素ピッチ）の逆数である空間サンプリング周波数で空間サンプリングしている。
【０１３１】
また撮像素子１５は、このように順次３ライン毎に１ラインの複数の受光部でそれぞれ撮影光Ｌ１を光電変換して光電変換信号を生成すると、当該生成し光電変換信号をカメラ信号処理部１７に送出する。
【０１３２】
さらに撮像素子１５は、このように１／３の受光部を用いる光電変換信号の生成処理を動画撮影の開始から終了までの間、所定周期で順次実行すると共に、当該生成処理を実行して光電変換信号を生成する毎に、その光電変換信号をカメラ信号処理部１７に送出する。
【０１３３】
カメラ信号処理部１７は、撮像素子１５から１／３の受光部を用いて生成された光電変換信号が与えられる毎に、当該光電変換信号に増幅処理やノイズ低減処理等のアナログ処理を施してアナログの撮像信号を生成する。
【０１３４】
そしてカメラ信号処理部１７は、撮像信号を生成する毎に、当該撮像信号をアナログデジタル変換処理して撮像データを生成する。
【０１３５】
またカメラ信号処理部１７は、撮像データを生成する毎に、当該撮像データに黒レベル補正処理やホワイトバランス調整処理、ガンマ補正処理、予め動画像用に選定された画像サイズに応じた画像縮小処理等の第３撮影方式に準じた動画撮影用のデジタル処理を施す。
【０１３６】
これによりカメラ信号処理部１７は、その撮像データをもとに、動画像データを構成する時間的に連続な複数のフレーム画像データを順次生成する。
【０１３７】
またカメラ信号処理部１７は、動画像データを構成する時間的に連続なフレーム画像データを生成する毎に、当該生成したフレーム画像データを画像処理部１９に送出する。
【０１３８】
ところで、デジタルスチルカメラ１には、マイクロホンを含む音声生成部２１が設けられている。音声生成部２１は、動画撮影の開始から終了までの間、制御部５の制御のもと、マイクロホンを介してデジタルスチルカメラ１の周囲の音声を集音してアナログの音声信号を生成する。
【０１３９】
また音声生成部２１は、その音声信号に増幅処理及びアナログデジタル変換処理等を施してデジタルの音声データを生成して制御部５に送出する。制御部５は、音声生成部２１から音声データが与えられると、その音声データを画像処理部１９に送出する。
【０１４０】
画像処理部１９は、カメラ信号処理部１７から動画像データを構成する時間的に連続なフレーム画像データが与えられる毎に、当該フレーム画像データに所定の圧縮符号化方式で圧縮符号化処理を施すようにして圧縮動画像データを生成する。
【０１４１】
また画像処理部１９は、この際、制御部５から与えられる音声データについても所定の圧縮符号化方式で圧縮符号化処理を施して圧縮音声データを生成する。
【０１４２】
さらに画像処理部１９は、これら圧縮動画像データ及び圧縮音声データを所定単位毎に時分割多重化して多重化データを生成する。そして画像処理部１９は、多重化データを記録媒体２０に送出して、当該記録媒体２０に多重化データを記録する。
【０１４３】
このようにして制御部５は、第３撮影方式で被写体を動画撮影して、その結果得られた複数のフレーム画像データからなる動画像データを音声データと共に圧縮符号化して多重化データとして記録媒体２０に記録することができる。
【０１４４】
ところで、カメラ信号処理部１７は、動画撮影の開始から終了までの間、動画像データを構成する時間的に連続なフレーム画像データを生成する毎に、当該生成したフレーム画像データをディスプレイ６にも送出する。
【０１４５】
これによりカメラ信号処理部１７は、ディスプレイ６に、時間的に連続な複数のフレーム画像データに基づく複数のフレーム画像を順次切り換えて動画像として表示する。
【０１４６】
そして制御部５は、この際、例えば、操作部７が操作されズームが指示されると、上述と同様に撮像光学系１１においてズームレンズを撮像光軸に沿って移動させ、かくして撮影範囲を広げ又は狭めるようにズーム倍率を調整する。
【０１４７】
よって制御部５は、被写体を動画撮影している間は、ディスプレイ６に表示した動画像を確認用画像のように利用させて、当該被写体の撮像状態として撮影範囲や構図等を確認させることができる。
【０１４８】
因みに、制御部５は、再生モード時、操作部７が操作され写真画像の再生が指示されると、画像処理部１９を写真画像の再生用に制御する。
【０１４９】
この際、画像処理部１９は、記録媒体２０から圧縮写真画像データを読み出すと共に、当該読み出した圧縮写真画像データに伸長復号処理を施して元の写真画像データを生成する。
【０１５０】
また画像処理部１９は、その写真画像データを、例えば、ディスプレイ６の解像度に応じた画像縮小処理を施した後、当該ディスプレイ６に送出する。これにより画像処理部１９は、ディスプレイ６に写真画像データに基づく写真画像を表示する。
【０１５１】
このようにして制御部５は、被写体を写真撮影して得ていた写真画像を、ディスプレイ６を介して見せることができる。
【０１５２】
また制御部５は、再生モード時、操作部７が操作され動画像の再生が指示されたときには、画像処理部１９を動画像の再生用に制御する。
【０１５３】
画像処理部１９は、この際、記録媒体２０から多重化データを読み出して、当該読み出した多重化データを圧縮動画像データと圧縮音声データとに分離する。
【０１５４】
また画像処理部１９は、圧縮動画像データに伸長復号処理を施して元の動画像データを構成する時間的に連続なフレーム画像データを生成する。
【０１５５】
さら画像処理部１９は、動画像データを構成する時間的に連続な複数のフレーム画像データを順次、例えば、ディスプレイ６の解像度に応じた画像縮小処理を施して当該ディスプレイ６に送出する。
【０１５６】
これにより画像処理部１９は、ディスプレイ６に、時間的に連続な複数のフレーム画像データに基づく複数のフレーム画像を順次切り換えて動画像として表示する。
【０１５７】
また画像処理部１９は、この際、圧縮音声データに伸長復号処理を施して元の音声データを生成すると共に、当該生成した音声データを、制御部５を介して例えば、スピーカを含む音声出力部２２に送出する。
【０１５８】
音声出力部２２は、画像処理部１９から制御部５を介して与えられた音声データをデジタルアナログ変換した後、増幅処理を施して音声信号を生成すると共に、動画像の表示に同期させて当該音声信号に基づく音声をスピーカから出力する。
【０１５９】
このようにして制御部５は、被写体を動画撮影して得ていた動画像及び音声を、ディスプレイ６及びスピーカを介して視聴させることができる。
【０１６０】
係る構成に加えて、上述の異方性光学素子１２は、例えば、光学的異方性を有するＰＥＴ（ポリエチレンテレフタレート）により、光透過性を有し、均一な所定の厚みを有する四角形のフィルム状に形成されている。
【０１６１】
因みに、以下の説明では、四角形の異方性光学素子１２において一方の互いに平行な２つの辺を、上辺及び下辺とも呼び、他方の互いに平行な２つの辺を、左辺及び右辺とも呼ぶ。
【０１６２】
また異方性光学素子１２は、例えば、撮像部１０において、図示しない素子保持部により、上辺及び下辺を水平方向と平行にし、当該下辺に設けられた水平方向と平行な回動軸を中心にして矢印Ｄで示す方向及びこれとは逆の方向に回動可能に保持されている。
【０１６３】
そして制御部５は、ギヤやモータ等を有する角度可変部２３により異方性光学素子１２を、回動軸を中心に回動させることができる。
【０１６４】
これにより制御部５は、撮像光学系１１と位相解消板１３との間で、異方性光学素子１２を、その一面１２Ａを垂直方向と平行にし当該一面１２Ａに撮像光軸を直交させる配置姿勢（以下、これを垂直配置姿勢とも呼ぶ）にして配置することができる。
【０１６５】
また制御部５は、撮像光学系１１と位相解消板１３との間で、異方性光学素子１２を、下辺よりも上辺を位相解消板１３に近づけて一面１２Ａを垂直方向に対して傾斜させる配置姿勢（以下、これを傾斜配置姿勢とも呼ぶ）にして配置することもできる。
【０１６６】
このようにして制御部５は、角度可変部２３により異方性光学素子１２を、垂直配置姿勢から傾斜配置姿勢までの所定の角度範囲で回動させて、当該異方性光学素子１２の配置角度を可変することができる。
【０１６７】
ところで、異方性光学素子１２は、垂直配置姿勢において一面１２Ａを撮像光学系１１側に向け、他面１２Ｂを位相解消板１３側（すなわち、撮像素子１５の撮像面１５Ａ側）に向けている。
【０１６８】
そして制御部５は、異方性光学素子１２を、傾斜配置姿勢にしても一面１２Ａを撮像光学系１１側に向け、他面１２Ｂを位相解消板１３側に向けているような角度範囲で回動させて、当該異方性光学素子１２の配置角度を可変する。
【０１６９】
これにより制御部５は、異方性光学素子１２を垂直配置姿勢及び傾斜配置姿勢の何れの配置姿勢にしても、撮像光軸に沿って撮像光学系１１を通った撮影光Ｌ１を当該異方性光学素子１２において一面１２Ａに入射させ、他面１２Ｂから出射させている。
【０１７０】
ここで、異方性光学素子１２は、例えば、互いに直交するＸ軸方向、Ｙ軸方向及びＺ軸方向の屈折率のうち、Ｘ軸方向の屈折率及びＹ軸方向の屈折率が等しく、Ｚ軸方向の屈折率が当該Ｘ軸方向の屈折率及びＹ軸方向の屈折率よりも大きい一軸性結晶でなる。
【０１７１】
因みに、以下の説明では、異方性光学素子１２におけるＸ軸方向の屈折率を、Ｘ屈性率とも呼び、Ｙ軸方向の屈折率を、Ｙ屈折率とも呼び、Ｚ軸方向の屈折率を、Ｚ屈折率とも呼ぶ。
【０１７２】
図６に示すように、このような異方性光学素子１２の屈折率の特性は、Ｘ屈折率ｎｘ、Ｙ屈折率ｎｙ及びＺ屈折率ｎｚの値をもとに、Ｚ軸方向の主軸を長軸とし、かつ当該Ｚ軸方向と直交するＸＹ平面が円形となる屈折率楕円体Ｒとして表すことができる。
【０１７３】
なお、係る屈折率楕円体Ｒは、Ｘ軸方向、Ｙ軸方向及びＺ軸方向それぞれの主軸の長さの１／２の長さが、Ｘ屈折率ｎｘ、Ｙ屈折率ｎｙ及びＺ屈折率ｎｚの値に相当している。
【０１７４】
このような一軸性結晶でなる異方性光学素子１２は、当該異方性光学素子１２の光学軸がＺ軸と平行になる。因みに、以下の説明では、異方性光学素子１２の光学軸を、単に光学軸とも呼ぶ。
【０１７５】
実際に異方性光学素子１２は、平面である一面１２Ａ及び他面１２Ｂが光学軸と直交し、上辺及び下辺がＸ軸方向と平行になり、かつ左辺及び右辺がＹ軸方向と平行になるように形成されている。
【０１７６】
よって異方性光学素子１２は、垂直配置姿勢では、光学軸が撮像光軸と一致して、当該撮像光軸に沿って到来する撮影光Ｌ１が一面１２Ａに垂直に（すなわち、光学軸に沿って）入射する。
【０１７７】
そして異方性光学素子１２は、垂直配置姿勢で撮影光Ｌ１が一面１２Ａに入射した場合、当該一面１２Ａに入射した撮影光Ｌ１を何ら分離せずに他面１２Ｂから出射するような光学特性を有している。
【０１７８】
また異方性光学素子１２は、傾斜配置姿勢では、光学軸が撮像光軸に対して傾いて、当該撮像光軸に沿って到来する撮影光Ｌ１が一面１２Ａに光学軸から傾いた所定角度で入射する。
【０１７９】
そして異方性光学素子１２は、傾斜配置姿勢で撮影光Ｌ１が一面１２Ａに入射した場合、当該一面１２Ａに入射した撮影光Ｌ１を、複屈折により垂直方向に対して通常光線及び異常光線の２つの光線に分離して他面１２Ｂから出射するような光学特性を有している。
【０１８０】
ここで、異方性光学素子１２の光学特性について具体的に説明する。図７に示すように、上述の屈折率楕円体Ｒは、異方性光学素子１２において、上辺及び下辺をＸ軸方向及びＹ軸方向と平行にし、一面１２ＡをＸＹ平面に重ねた状態で、撮影光Ｌ１が光学軸に沿って一面１２Ａに垂直に入射する場合の屈折率の特性を表している。
【０１８１】
すなわち、屈折率楕円体Ｒは、垂直配置姿勢の異方性光学素子１２において、Ｚ軸方向と平行な（すなわち、光学軸と一致する）撮像光軸に沿って到来する撮影光Ｌ１が、一面１２Ａに垂直に入射する場合の屈折率の特性を表している。
【０１８２】
そして屈折率楕円体Ｒからは、異方性光学素子１２において、一面１２Ａを、Ｘ軸を中心に回転させＸＹ平面から傾けた状態で、Ｚ軸方向と平行な撮像光軸に沿って到来する撮影光Ｌ１が当該一面１２Ａに入射する場合に変化する屈折率を求めることができる。
【０１８３】
すなわち、屈折率楕円体Ｒからは、傾斜配置姿勢の異方性光学素子１２において、Ｚ軸方向と平行な撮像光軸に沿って到来する撮影光Ｌ１が、一面１２Ａに光学軸から傾いた所定角度で入射する場合に変化する屈折率を求めることができる。
【０１８４】
異方性光学素子１２の屈折率の特性を表す屈折率楕円体Ｒは、Ｘ軸方向、Ｙ軸方向及びＺ軸方向それぞれの主軸の長さの１／２の長さに相当するＸ屈折率ｎｘ、Ｙ屈折率ｎｙ及びＺ屈折率ｎｚの値を用いて、（１）式
【０１８５】
【数１】
2012175449.tif 000003
【０１８６】
の方程式で表すことができる。
【０１８７】
ただし、異方性光学素子１２は、上述したようにＸ屈折率ｎｘとＹ屈折率ｎｙとが等しく、またＺ屈折率ｎｚが当該Ｘ屈折率ｎｘ及びＹ屈折率ｎｙよりも大きい。
【０１８８】
このため屈折率楕円体Ｒは、図８に示すような、Ｙ屈折率ｎｙ及びＺ屈折率ｎｚの大きさが短軸及び長軸それぞれの長さの１／２の長さに相当する楕円Ｅに置き換えることができる。
【０１８９】
この楕円Ｅは、短軸及び長軸それぞれの長さの１／２の長さに相当するＹ屈折率ｎｙ及びＺ屈折率ｎｚを用いて、（２）式
【０１９０】
【数２】
2012175449.tif 000004
【０１９１】
の方程式で表すことができる。
【０１９２】
ここで、（２）式で表される楕円ＥにおいてＹ軸（屈折率楕円体ＲのＸＹ平面）に対する異方性光学素子１２の一面１２Ａの角度を、当該異方性光学素子１２の垂直配置姿勢を基準とした配置角度に対応させる。
【０１９３】
すなわち、楕円ＥのＹ軸に一面１２Ａが重なる場合の角度を、異方性光学素子１２の垂直配置姿勢での配置角度（すなわち、異方性光学素子１２の基準となる配置角度）に対応させて０°とする。
【０１９４】
また楕円ＥのＹ軸に対して一面１２Ａが傾いた場合の角度を、異方性光学素子１２の傾斜配置姿勢での配置角度に対応させて０°よりも大きいものとする。
【０１９５】
この状態で異方性光学素子１２のＸ屈折率ｎｘ及びＹ屈折率ｎｙについて考える。異方性光学素子１２のＸ屈折率ｎｘは、楕円ＥのＹ軸（屈折率楕円体ＲのＸＹ平面）に対する一面１２Ａの角度によらず（すなわち、異方性光学素子１２の配置角度によらず）、一定の値となる。
【０１９６】
これに対し異方性光学素子１２のＹ屈折率ｎｙは、楕円ＥのＹ軸に対する一面１２Ａの傾きの角度（異方性光学素子１２の垂直配置姿勢を基準にした傾斜配置姿勢での配置角度）をθとすると、当該Ｙ屈折率ｎｙと共にＺ屈折率ｎｚを用いて、（３）式
【０１９７】
【数３】
2012175449.tif 000005
【０１９８】
で表されるように、Ｙ軸方向の成分Ｙｙ及びＺ軸方向の成分Ｙｚを算出し、当該算出したＹ軸方向の成分Ｙｙ及びＺ軸方向の成分Ｙｚを用いて、（４）式
【０１９９】
【数４】
2012175449.tif 000006
【０２００】
で表されるように、ピタゴラスの定理に基づき算出することができる。
【０２０１】
この（３）式及び（４）式からも明らかなように、異方性光学素子１２のＹ屈折率ｎｙは、楕円ＥのＹ軸に対する一面１２Ａの角度が０°の（すなわち、一面１２Ａが楕円ＥのＹ軸と重なる）場合、Ｘ屈折率ｎｘと等しい値になる。
【０２０２】
また異方性光学素子１２のＹ屈折率ｎｙは、楕円ＥのＹ軸に対する一面１２Ａの角度が０°よりも大きくなる（すなわち、一面１２Ａが楕円ＥのＹ軸に対して傾く）と、Ｘ屈折率ｎｘよりも大きな値になる。
【０２０３】
さらに異方性光学素子１２のＹ屈折率ｎｙは、楕円ＥのＹ軸に対する一面１２Ａの角度が大きいほど（すなわち、楕円ＥのＹ軸に対する一面１２Ａの傾きが大きいほど）、これに応じて値が大きくなる。
【０２０４】
このように異方性光学素子１２は、光学軸が撮像光軸と一致する垂直配置姿勢では、Ｙ屈折率ｎｙがＸ屈折率ｎｘと等しくなる。
【０２０５】
また異方性光学素子１２は、光学軸が撮像光軸に対して傾く傾斜配置姿勢では、当該傾斜配置姿勢での配置角度が、基準となる垂直配置姿勢の配置角度よりも大きいほど、Ｙ屈折率ｎｙがＸ屈折率ｎｘよりも、より大きな値になる。
【０２０６】
そして異方性光学素子１２において複屈折により撮影光Ｌ１から分離される通常光線の屈折率（以下、これを通常光線屈折率とも呼ぶ）は、当該異方性光学素子１２のＸ屈折率ｎｘと等しい値になる。言い換えると、通常光線屈折率は、異方性光学素子１２の配置角度によらず、Ｘ屈折率ｎｘと等しい一定の値になる。
【０２０７】
また異方性光学素子１２において複屈折により撮影光Ｌ１から分離される異常光線の屈折率（以下、これを異常光線屈折率とも呼ぶ）は、当該異方性光学素子１２のＹ屈折率ｎｙと等しく、当該異方性光学素子１２の配置角度に応じて変化する。
【０２０８】
言い換えると、異常光線屈折率は、異方性光学素子１２が垂直配置姿勢の場合に通常光線屈折率と等しくなり、傾斜配置姿勢の場合に配置角度が、基準となる垂直配置姿勢の配置角度よりも大きいほど、通常光線屈折率よりも、より大きな値になる。
【０２０９】
よって異方性光学素子１２は、垂直配置姿勢において、光学軸と一致する撮像光軸に沿って到来する撮影光Ｌ１が一面１２Ａに入射する場合、通常光線屈折率と異常光線屈折率とが等しくなる。
【０２１０】
また異方性光学素子１２は、傾斜配置姿勢において、撮像光軸に沿って到来する撮影光Ｌ１が光学軸から傾いた所定角度で一面１２Ａに入射した場合、異常光線屈折率が通常光線屈折率よりも大きくなる。
【０２１１】
そして異方性光学素子１２により撮影光ｌ１を垂直方向に対して通常光線及び異常光線に分離する際の分離幅は、当該異方性光学素子１２の厚みをｔとし、通常光線屈折率をｎｏとし、異常光線屈折率をｎｅとし、当該分離幅をｄとすると、（５）式
【０２１２】
【数５】
2012175449.tif 000007
【０２１３】
で表されるように、異常光線屈折率を２乗した値から通常光線屈折率を２乗した値を減算した減算結果を、異常光線屈折率と通常光線屈折率との乗算結果を２倍した値で除算し、その除算結果に異方性光学素子１２の厚みを乗算して求めることができる。
【０２１４】
この（５）式からも明らかなように、異方性光学素子１２は、光学軸が撮像光軸と一致する垂直配置姿勢では、通常光線屈折率と異常光線屈折率とが等しくなることにより分離幅が０となる。
【０２１５】
このため図９に示すように、異方性光学素子１２は、垂直配置姿勢では、撮像光軸に沿って一面１２Ａに入射した撮影光Ｌ１を垂直方向に対して通常光線及び異常光線には分離せずに他面１２Ｂから出射することができる。
【０２１６】
また異方性光学素子１２は、光学軸が撮像光軸に対して傾く傾斜配置姿勢では、異常光線屈折率が通常光線屈折率よりも大きくなることにより、分離幅が０よりも大きい値になる。
【０２１７】
このため図１０に示すように、異方性光学素子１２は、傾斜配置姿勢では、撮像光軸に沿って一面１２Ａに入射した撮影光Ｌ１を、複屈折により垂直方向に対して通常光線及び異常光線に分離して他面１２Ｂから出射することができる。
【０２１８】
そして異方性光学素子１２では、傾斜配置姿勢による配置角度が大きいほど（すなわち、垂直配置姿勢からの傾斜が大きいほど）、撮影光Ｌ１を垂直方向に対して、より大きな分離幅で通常光線及び異常光線に分離して他面１２Ｂから出射することができる。
【０２１９】
ところで、制御部５は、角度可変部２３を介して異方性光学素子１２を所望の配置角度で配置することで、当該異方性光学素子１２による撮影光Ｌ１の垂直方向に対する通常光線及び異常光線への分離の有無を制御している。
【０２２０】
また制御部５は、角度可変部２３を介して異方性光学素子１２を垂直配置姿勢よりも傾斜させた場合に所望の配置角度で配置して、撮影像をぼかすための当該異方性光学素子１２による撮影光Ｌ１の垂直方向に対する通常光線及び異常光線の分離幅も制御している。
【０２２１】
このため異方性光学素子１２は、例えば、少なくとも２種類の形成条件をもとに、撮影光Ｌ１を一面１２Ａに入射可能な９０°未満の角度範囲で配置角度を適宜可変して、撮影光Ｌ１を通常光線及び異常光線に分離する際の所望の分離幅を得るように形成されている。
【０２２２】
すなわち、異方性光学素子１２は、上述した３つの第２撮影方式乃至第４撮影方式で被写体を撮影する際、撮影像を空間サンプリングする際の画素の垂直方向の画素ピッチ程度にぼかすような、通常光線及び異常光線の分離幅を得るように形成されている。
【０２２３】
因みに、以下の説明では、異方性光学素子１２の形成に使用する２種類の形成条件のうち一方を第１形成条件とも呼び、他方を第２形成条件とも呼ぶ。
【０２２４】
この場合、第１形成条件は、例えば、撮像素子１５において撮影像を空間サンプリングする際の何ら間引かない画素の垂直方向の画素ピッチ（すなわち、何ら間引かずに利用する全ての受光部の垂直方向の配置間隔）である。
【０２２５】
因みに、以下の説明では、撮像素子１５において撮影像を空間サンプリングする際の何ら間引かない画素の垂直方向の画素ピッチを、第１画素ピッチとも呼ぶ。
【０２２６】
また第２形成条件は、例えば、撮像素子１５において撮影像を、画素を間引いて空間サンプリングする際の（すなわち、間引き後の）画素の垂直方向の画素ピッチである。
【０２２７】
因みに、形成条件としては、この他にも、例えば、撮像部１０における異方性光学素子１２の配置スペースに応じて、当該異方性光学素子１２の可変可能な最大の配置角度等を用いることもできる。
【０２２８】
ここで、この実施の形態の場合、第１形成条件としての第１画素ピッチは、例えば、２．２［μｍ］である。また、この実施の形態の場合、撮像素子１５において撮影像を、画素を間引いて空間サンプリングする撮影方式としては、上述のように例えば、撮像素子１５において撮影像を、画素をライン単位で１／３に間引いて空間サンプリングする第３撮影方式がある。
【０２２９】
さらに、この実施の形態の場合、撮像素子１５において撮影像を、画素を間引いて空間サンプリングする撮影方式としては、上述のように例えば、撮像素子１５において撮影像を、画素をライン単位で１／５に間引いて空間サンプリングする第４撮影方式がある。
【０２３０】
このため、この実施の形態の場合、第２形成条件としては、撮影の際に撮像素子１５において撮影像を、画素を間引いて空間サンプリングする撮影方式（すなわち、第３撮影方式及び第４撮影方式）の数に応じて２つの画素ピッチが用いられる。
【０２３１】
そして第２形成条件としての２つの画素ピッチのうち一方は、第１形成条件が示す第１画素ピッチをもとに第３撮影方式における画素の間引き方から、例えば、６．６［μｍ］になる。
【０２３２】
因みに、以下の説明では、第３撮影方式に準じて撮像素子１５において撮影像を、画素を間引いて空間サンプリングする際の画素の垂直方向の画素ピッチを、第２画素ピッチとも呼ぶ。
【０２３３】
また第２形成条件としての２つの画素ピッチのうち他方は、第１形成条件が示す画素ピッチをもとに第４撮影方式における画素の間引き方から、例えば、１１．０［μｍ］になる。
【０２３４】
因みに、以下の説明では、第４撮影方式に準じて撮像素子１５において撮影像を、画素を間引いて空間サンプリングする際の画素の垂直方向の画素ピッチを、第２画素ピッチとも呼ぶ。
【０２３５】
異方性光学素子１２は、このような第１形成条件及び第２形成条件をもとに、例えば、一軸結晶としてＸ屈折率ｎｘ及びＹ屈折率ｎｙが共に１．５に選定され、Ｚ屈折率ｎｚが１．６に選定されている。
【０２３６】
また異方性光学素子１２は、その選定されたＸ屈折率ｎｘ、Ｙ屈折率ｎｙ及びＺ屈折率ｎｚをもとにして、通常光線及び異常光線に対する所望の分離幅を得るために、例えば、厚みｄが２１０［μｍ］に選定されている。
【０２３７】
すなわち、異方性光学素子１２は、その適宜選定されたＸ屈折率ｎｘ、Ｙ屈折率ｎｙ、Ｚ屈折率ｎｚ及び厚みｄとなるように形成されている。
【０２３８】
そして上述した４つの第１撮影方式乃至第４撮影方式では、それぞれ上述した（３）式乃至（５）式を逆算的に利用して、撮影光Ｌ１を垂直方向に対して所望の分離幅で通常光線及び異常光線に分離するための異方性光学素子１２の配置角度が選定されている。
【０２３９】
図１１に示すように、第１撮影方式では、被写体を写真撮影する際、撮影光Ｌ１を垂直方向に対しては通常光線及び異常光線には分離しないようにしている。このため第１撮影方式では、被写体を写真撮影する際の異方性光学素子１２の配置角度が０°に選定されている。
【０２４０】
因みに、以下の説明では、第１撮影方式で被写体を写真撮影する際の異方性光学素子１２の配置角度を、第１配置角度とも呼ぶ。
【０２４１】
そして第１撮影方式では、撮影光Ｌ１を垂直方向に対しては通常光線及び異常光線に分離しないため、異方性光学素子１２において通常光線屈折率ｎｏ及び異常光線屈折率ｎｅは等しい例えば、１．５になる。
【０２４２】
また第１撮影方式では、撮影光Ｌ１を垂直方向に対して通常光線及び異常光線に分離するための分離幅が０［μｍ］になる。
【０２４３】
第２撮影方式では、被写体を写真撮影する際、上述の第１画素ピッチに相当する分離幅で、撮影光Ｌ１を垂直方向に対して通常光線及び異常光線に分離するようにしている。因みに、以下の説明では、第１画素ピッチに相当する分離幅を、第１分離幅とも呼ぶ。
【０２４４】
このため第２撮影方式では、被写体を写真撮影する際の異方性光学素子１２の配置角度が、第１配置角度よりも大きい例えば、１６°（図８及び図１１に示すα）に選定されている。
【０２４５】
因みに、以下の説明では、第２撮影方式で被写体を写真撮影する際の異方性光学素子１２の配置角度を、第２配置角度とも呼ぶ。
【０２４６】
そして第２撮影方式では、撮影光Ｌ１を垂直方向に対して通常光線及び異常光線に分離するため、異方性光学素子１２において通常光線屈折率ｎｏは例えば、１．５のままだが、異常光線屈折率ｎｅは通常光線屈折率ｎｏよりも大きい例えば、１．５１６になる。
【０２４７】
また第２撮影方式では、撮影光Ｌ１を垂直方向に対して通常光線及び異常光線に分離する際の第１分離幅が、上述の第１画素ピッチに相当する例えば、２．２［μｍ］になる。
【０２４８】
第３撮影方式では、被写体を動画撮影する際、上述の第２画素ピッチに相当する分離幅で、撮影光Ｌ１を垂直方向に対して通常光線及び異常光線に分離するようにしている。因みに、以下の説明では、第２画素ピッチに相当する分離幅を、第２分離幅とも呼ぶ。
【０２４９】
このため第３撮影方式では、被写体を動画撮影する際の異方性光学素子１２の配置角度が、第２配置角度よりも大きい例えば、２９．５°（図８及び図１１に示すβ）に選定されている。
【０２５０】
因みに、以下の説明では、第３撮影方式で被写体を動画撮影する際の異方性光学素子１２の配置角度を、第３配置角度とも呼ぶ。
【０２５１】
そして第３撮影方式では、撮影光Ｌ１を垂直方向に対して通常光線及び異常光線に分離するため、異方性光学素子１２において通常光線屈折率ｎｏは例えば、１．５のままだが、異常光線屈折率ｎｅは通常光線屈折率ｎｏよりも大きい例えば、１．５４９３３になる。
【０２５２】
また第３撮影方式では、撮影光Ｌ１を垂直方向に対して通常光線及び異常光線に分離する際の第２分離幅が、上述の第２画素ピッチに相当する例えば、６．６［μｍ］になる。
【０２５３】
第４撮影方式では、被写体を連続撮影する際、上述の第３画素ピッチに相当する分離幅で、撮影光Ｌ１を通常光線及び異常光線に分離するようにしている。因みに、以下の説明では、第３画素ピッチに相当する分離幅を、第３分離幅とも呼ぶ。
【０２５４】
このため第４撮影方式では、被写体を連続撮影する際の異方性光学素子１２の配置角度が、第３配置角度よりも大きい例えば、３９°（図８及び図１１に示すγ）に選定されている。
【０２５５】
因みに、以下の説明では、第４撮影方式で被写体を連続撮影する際の異方性光学素子１２の配置角度を、第４配置角度とも呼ぶ。
【０２５６】
なお、第４撮影方式では、撮影光Ｌ１を垂直方向に対して通常光線及び異常光線に分離するため、異方性光学素子１２において通常光線屈折率ｎｏは例えば、１．５のままだが、異常光線屈折率ｎｅは通常光線屈折率ｎｏよりも大きい例えば、１．５８２２になる。
【０２５７】
また第４撮影方式では、撮影光Ｌ１を垂直方向に対して通常光線及び異常光線に分離する際の第３分離幅が、上述の第３画素ピッチに相当する例えば、１１．０［μｍ］になる。
【０２５８】
このようにデジタルスチルカメラ１では、被写体を撮影する際の異方性光学素子１２に対する配置角度が、その撮影に適用する第１撮影方式乃至第４撮影方式に応じた第１配置角度乃至第４配置角度に選定されている。
【０２５９】
次いで、図１２及び図１３を用いて写真撮影モード時及び動画撮影モード時の異方性光学素子１２による撮影光Ｌ１の通常光線ＲＯ１及び異常光線ＲＥ１への分離について説明する。
【０２６０】
因みに、異方性光学素子１２の一面１２Ａには、写真撮影モード時及び動画撮影モード時、撮像光軸に沿って撮像光学系１１を通った、垂直方向及び水平方向の偏光Ｐ１及びＰ２を有する無偏光の光線としての撮影光Ｌ１が入射している。
【０２６１】
図１２に示すように、制御部５は、写真撮影モードにおいて第１撮影方式で被写体を写真撮影するとき、角度可変部２３を介して異方性光学素子１２を回転させて第１配置角度で配置する。
【０２６２】
すなわち、制御部５は、写真撮影モードにおいて操作部７を介して写真撮影が指示されたとき、第１撮影方式が選択されていると、角度可変部２３を介して異方性光学素子１２を第１配置角度（すなわち、垂直配置姿勢）で配置する。
【０２６３】
異方性光学素子１２は、写真撮影の指示に応じて第１配置角度で配置されると、上述の垂直方向及び水平方向の偏光Ｐ１及びＰ２を有する無偏光の光線としての撮影光Ｌ１が撮像光軸と一致する光学軸に沿って一面１２Ａに垂直に入射する。
【０２６４】
この際、異方性光学素子１２は、一面１２Ａに入射した撮影光Ｌ１（光線）を通常光線ＲＯ１及び異常光線ＲＥ１には分離せずに他面１２Ｂから出射して、後段の位相解消板１３の一面１３Ａに入射させる。
【０２６５】
位相解消板１３は、一面１３Ａに入射した撮影光Ｌ１（光線）を円偏光の光線としての出射光Ｌ２に変換して他面１３Ａから出射し、後段の光学ローパスフィルタ１４の一面１４Ａに入射させる。
【０２６６】
ここで、光学ローパスフィルタ１４は、一面１４Ａに入射した入射光（光線）を複屈折により水平方向に対して２つの光線としての通常光線及び異常光線に分離するように形成されている。
【０２６７】
そして撮像素子１５は、被写体の撮影時、上述のように撮影方式によらず（すなわち第１撮影方式乃至第４撮影方式の何れでも）、撮影像を水平方向へは画素を何ら間引かずに空間サンプリングしている。
【０２６８】
このため光学ローパスフィルタ１４は、入射光を水平方向に対して通常光線及び異常光線に分離する際の分離幅が、撮像素子１５において撮影像を空間サンプリングする際の画素の水平方向の画素ピッチに相当するように選定されている。
【０２６９】
因みに、以下の説明では、撮像素子１５において撮影像を空間サンプリングする際の画素の水平方向の画素ピッチを、第４画素ピッチとも呼ぶ。
【０２７０】
また、以下の説明では、第４画素ピッチに相当する分離幅（すなわち、光学ローパスフィルタ１４が入射光を水平方向に対して通常光線及び異常光線に分離する際の分離幅）を、第４分離幅とも呼ぶ。
【０２７１】
なお、この実施の形態の場合、第４画素ピッチは、例えば、２．２［μｍ］であり、第４分離幅は、第４画素ピッチに応じて、例えば、２．２［μｍ］に選定されている。
【０２７２】
よって光学ローパスフィルタ１４は、この際、一面１４Ａに入射した出射光Ｌ２を複屈折により水平方向に対して第４分離幅で、垂直方向の偏光Ｐ１を有する通常光線ＲＯ２と水平方向の偏光Ｐ２を有する異常光線ＲＥ２とに分離する。
【０２７３】
また光学ローパスフィルタ１４は、その通常光線ＲＯ２及び異常光線ＲＥ２を他面１４Ｂから出射して撮像素子１５の撮像面１５Ａに照射する。
【０２７４】
この際、撮像素子１５は、上述のように撮像面１５Ａの全ての受光部でそれぞれ受光した通常光線ＲＯ２及び異常光線ＲＥ２としての撮影光Ｌ１を光電変換して光電変換信号を生成する。
【０２７５】
このようにして制御部５は、第１撮影方式で被写体を写真撮影する場合、撮像素子１５の撮像面１５Ａに結像する撮影像を、光学ローパスフィルタ１４により水平方向に対しては第４画素ピッチ程度にぼかすものの、垂直方向へは何らぼかさないようにしている。
【０２７６】
これにより制御部５は、例えば、被写体として自然な模様を写真撮影するとき、第１撮影方式に応じて異方性光学素子１２を第１配置角度で配置することで、撮像面１５Ａに結像した撮影像の解像度が低下することを極力防止することができる。
【０２７７】
よって制御部５は、このように第１撮影方式で自然な模様を写真撮影した場合、その写真撮影によって得られる写真画像の画質の劣化を極力低減させることができる。
【０２７８】
また図１３に示すように、制御部５は、写真撮影モードにおいて第２撮影方式で被写体を写真撮影するとき、角度可変部２３を介して異方性光学素子１２を回転させて第２配置角度で配置する。
【０２７９】
すなわち、制御部５は、写真撮影モードにおいて操作部７を介して写真撮影が指示されたとき、第２撮影方式が選択されていると、角度可変部２３を介して異方性光学素子１２を第２配置角度（すなわち、傾斜配置姿勢）で配置する。
【０２８０】
異方性光学素子１２は、写真撮影の指示に応じて第２配置角度で配置されると、上述の垂直方向及び水平方向の偏光Ｐ１及びＰ２を有する無偏光の光線としての撮影光Ｌ１が一面１２Ａに光学軸から傾いて入射する。
【０２８１】
この際、異方性光学素子１２は、一面１２Ａに入射した撮影光Ｌ１（光線）を複屈折により垂直方向に対して第１分離幅で、垂直方向の偏光Ｐ１を有する通常光線ＲＯ１及び水平方向の偏光Ｐ２を有する異常光線ＲＥ１に分離する。
【０２８２】
また異方性光学素子１２は、通常光線ＲＯ１及び異常光線ＲＥ１を他面１２Ｂから出射して、後段の位相解消板１３の一面１３Ａに入射させる。
【０２８３】
位相解消板１３は、一面１３Ａに入射した通常光線ＲＯ１及び異常光線ＲＥ１をそれぞれ円偏光の光線ＲＯ３及びＲＥ３に変換して他面１３Ａから出射し、後段の光学ローパスフィルタ１４の一面１４Ａに入射させる。
【０２８４】
光学ローパスフィルタ１４は、一面１４Ａに入射した光線ＲＯ３及びＲＥ３をそれぞれ複屈折により水平方向に対して第４分離幅で、垂直方向の偏光Ｐ１を有する通常光線ＲＯ４及びＲＯ５と水平方向の偏光Ｐ２を有する異常光線ＲＥ４及びＲＥ５とに分離する。
【０２８５】
また光学ローパスフィルタ１４は、その通常光線ＲＯ４及びＲＯ５と異常光線ＲＥ４及びＲＥ５とを他面１４Ｂから出射して撮像素子１５の撮像面１５Ａに照射する。
【０２８６】
この際、撮像素子１５は、上述のように撮像面１５Ａの全ての受光部でそれぞれ受光した通常光線ＲＯ４及びＲＯ５並びに異常光線ＲＥ４及びＲＥ５としての撮影光Ｌ１を光電変換して光電変換信号を生成する。
【０２８７】
このようにして制御部５は、第２撮影方式で被写体を写真撮影する場合、異方性光学素子１２を第２配置角度で配置して光学ローパスフィルタのように機能させ、撮像素子１５の撮像面１５Ａに結像する撮影像を垂直方向に対して第１画素ピッチ程度にぼかす。
【０２８８】
また制御部５は、この際、撮像素子１５の撮像面１５Ａに結像する撮影像を、光学ローパスフィルタ１４により水平方向に対して第４画素ピッチ程度にぼかす。
【０２８９】
これにより制御部５は、撮像面１５Ａに結像した撮影像において垂直方向に対し第１画素ピッチに応じたナイキスト周波数以上の空間周波数の高周波成分を除去することができる。
【０２９０】
また制御部５は、この際、撮像面１５Ａに結像した撮影像において水平方向に対し第４画素ピッチに応じたナイキスト周波数以上の空間周波数の高周波成分を除去することもできる。
【０２９１】
よって制御部５は、例えば、被写体として人工的な規則性のある模様を写真撮影するとき、第２撮影方式に応じて異方性光学素子１２を第２配置角度で配置することで、撮影像の空間サンプリングにおいて折返歪みが生じることを低減させることができる。
【０２９２】
従って制御部５は、このように第２撮影方式で人工的な規則性のある模様を写真撮影した場合、その写真撮影によって得られる写真画像に偽色や色モアレが発生することを低減させることができる。
【０２９３】
さらに制御部５は、動画撮影モードにおいて第３撮影方式で被写体を動画撮影するとき、角度可変部２３を介して異方性光学素子１２を回転させて第３配置角度で配置する。
【０２９４】
すなわち、制御部５は、動画撮影モードにおいて操作部７を介して動画撮影が指示されている間（動画撮影の開始が指示されてから終了が指示されるまでの間）、角度可変部２３を介して異方性光学素子１２を第３配置角度（すなわち、傾斜配置姿勢）で配置する。
【０２９５】
この際、異方性光学素子１２、位相解消板１３及び光学ローパスフィルタ１４は、図１３について上述した第２撮影方式で被写体を写真撮影する場合とほぼ同様に機能する。
【０２９６】
すなわち、異方性光学素子１２は、動画撮影の指示に応じて第３配置角度で配置されると、上述の垂直方向及び水平方向の偏光Ｐ１及びＰ２を有する無偏光の光線としての撮影光Ｌ１が一面１２Ａに光学軸から傾いて入射する。
【０２９７】
この際、異方性光学素子１２は、一面１２Ａに入射した撮影光Ｌ１（光線）を複屈折により垂直方向に対して第２分離幅で、垂直方向の偏光Ｐ１を有する通常光線ＲＯ１及び水平方向の偏光Ｐ２を有する異常光線ＲＥ１に分離する。
【０２９８】
また異方性光学素子１２は、その通常光線ＲＯ１及び異常光線ＲＥ１を他面１２Ｂから出射して、後段の位相解消板１３の一面１３Ａに入射させる。
【０２９９】
位相解消板１３は、一面１３Ａに入射した通常光線ＲＯ１及び異常光線ＲＥ１をそれぞれ円偏光の光線ＲＯ３及びＲＥ３に変換して他面１３Ａから出射し、後段の光学ローパスフィルタ１４の一面１４Ａに入射させる。
【０３００】
光学ローパスフィルタ１４は、一面１４Ａに入射した光線ＲＯ３及びＲＥ３をそれぞれ複屈折により水平方向に対して第４分離幅で、垂直方向の偏光Ｐ１を有する通常光線ＲＯ４及びＲＯ５と水平方向の偏光Ｐ２を有する異常光線ＲＥ４及びＲＥ５とに分離する。
【０３０１】
また光学ローパスフィルタ１４は、その通常光線ＲＯ４及びＲＯ５と異常光線ＲＥ４及びＲＥ５とを他面１４Ｂから出射して撮像素子１５の撮像面１５Ａに照射する。
【０３０２】
この際、撮像素子１５は、上述のように撮像面１５Ａの全ての受光部のうち１／３の受光部でそれぞれ受光した通常光線ＲＯ４及びＲＯ５並びに異常光線ＲＥ４及びＲＥ５としての撮影光Ｌ１を光電変換して光電変換信号を生成する。
【０３０３】
このようにして制御部５は、第３撮影方式で被写体を動画撮影する場合、異方性光学素子１２を第３配置角度で配置して光学ローパスフィルタのように機能させ、撮像素子１５の撮像面１５Ａに結像する撮影像を垂直方向に対して第２画素ピッチ程度にぼかす。
【０３０４】
また制御部５は、この際、撮像素子１５の撮像面１５Ａに結像する撮影像を、光学ローパスフィルタ１４により水平方向に対して第４画素ピッチ程度にぼかす。
【０３０５】
これにより制御部５は、撮像面１５Ａに結像した撮影像において垂直方向に対し第２画素ピッチに応じたナイキスト周波数以上の空間周波数の高周波成分を除去することができる。
【０３０６】
また制御部５は、この際、撮像面１５Ａに結像した撮影像において水平方向に対し第４画素ピッチに応じたナイキスト周波数以上の空間周波数の高周波成分を除去することもできる。
【０３０７】
よって制御部５は、例えば、被写体として人工的な規則性のある模様を動画撮影するとき、第３撮影方式に応じて異方性光学素子１２を第３配置角度で配置することで、撮影像の空間サンプリングにおいて折返歪みが生じることを低減させることができる。
【０３０８】
従って制御部５は、このように第３撮影方式で人工的な規則性のある模様を動画撮影した場合、その動画撮影によって得られる動画像に偽色や色モアレが発生することを低減させることができる。
【０３０９】
さらにまた制御部５は、写真撮影モード及び動画撮影モードおいて第４撮影方式で被写体を連続撮影するとき、角度可変部２３を介して異方性光学素子１２を回転させて第４配置角度で配置する。
【０３１０】
すなわち、制御部５は、写真撮影モード及び動画撮影モードにおいて被写体の写真撮影及び動画撮影が指示されるまでの間、角度可変部２３を介して異方性光学素子１２を第４配置角度（すなわち、傾斜配置姿勢）で配置する。
【０３１１】
この際も異方性光学素子１２、位相解消板１３及び光学ローパスフィルタ１４は、図１３について上述した第２撮影方式で被写体を写真撮影する場合とほぼ同様に機能する。
【０３１２】
すなわち、異方性光学素子１２は、第４配置角度で配置されると、上述の垂直方向及び水平方向の偏光Ｐ１及びＰ２を有する無偏光の光線としての撮影光Ｌ１が一面１２Ａに光学軸から傾いて入射する。
【０３１３】
この際、異方性光学素子１２は、一面１２Ａに入射した撮影光Ｌ１（光線）を複屈折により垂直方向に対して第３分離幅で、垂直方向の偏光Ｐ１を有する通常光線ＲＯ１及び水平方向の偏光Ｐ２を有する異常光線ＲＥ１に分離する。
【０３１４】
また異方性光学素子１２は、その通常光線ＲＯ１及び異常光線ＲＥ１を他面１２Ｂから出射して、後段の位相解消板１３の一面１３Ａに入射させる。
【０３１５】
位相解消板１３は、一面１３Ａに入射した通常光線ＲＯ１及び異常光線ＲＥ１をそれぞれ円偏光の光線ＲＯ３及びＲＥ３に変換して他面１３Ａから出射し、後段の光学ローパスフィルタ１４の一面１４Ａに入射させる。
【０３１６】
光学ローパスフィルタ１４は、一面１４Ａに入射した光線ＲＯ３及びＲＥ３をそれぞれ複屈折により水平方向に対して第４分離幅で、垂直方向の偏光Ｐ１を有する通常光線ＲＯ４及びＲＯ５と水平方向の偏光Ｐ２を有する異常光線ＲＥ４及びＲＥ５とに分離する。
【０３１７】
また光学ローパスフィルタ１４は、その通常光線ＲＯ４及びＲＯ５と異常光線ＲＥ４及びＲＥ５とを他面１４Ｂから出射して撮像素子１５の撮像面１５Ａに照射する。
【０３１８】
この際、撮像素子１５は、上述のように撮像面１５Ａの全ての受光部のうち１／５の受光部でそれぞれ受光した通常光線ＲＯ４及びＲＯ５並びに異常光線ＲＥ４及びＲＥ５としての撮影光Ｌ１を光電変換して光電変換信号を生成する。
【０３１９】
このようにして制御部５は、第３撮影方式で被写体を連続撮影する場合、異方性光学素子１２を第４配置角度で配置して光学ローパスフィルタのように機能させ、撮像素子１５の撮像面１５Ａに結像する撮影像を垂直方向に対して第３画素ピッチ程度にぼかす。
【０３２０】
また制御部５は、この際、撮像素子１５の撮像面１５Ａに結像する撮影像を、光学ローパスフィルタ１４により水平方向に対して第４画素ピッチ程度にぼかす。
【０３２１】
これにより制御部５は、撮像面１５Ａに結像した撮影像において垂直方向に対し第３画素ピッチに応じたナイキスト周波数以上の空間周波数の高周波成分を除去することができる。
【０３２２】
また制御部５は、この際、撮像面１５Ａに結像した撮影像において水平方向に対し第４画素ピッチに応じたナイキスト周波数以上の空間周波数の高周波成分を除去することもできる。
【０３２３】
よって制御部５は、例えば、被写体として人工的な規則性のある模様を連続撮影するとき、第４撮影方式に応じて異方性光学素子１２を第４配置角度で配置することで、撮影像の空間サンプリングにおいて折返歪みが生じることを低減させることができる。
【０３２４】
従って制御部５は、このように第４撮影方式で人工的な規則性のある模様を連続撮影した場合、その連続撮影によって得られる確認用画像に偽色や色モアレが発生することを低減させることができる。
【０３２５】
なお、この実施の形態の場合、図１４に示すように、異方性光学素子１２の他面１２Ｂには、反射防止膜１２Ｃが形成されている。
【０３２６】
すなわち、異方性光学素子１２は、仮に他面１２Ｂに対し反射防止膜１２Ｃが形成されていないと、例えば、図１５に示すように、一面１２Ａに入射した撮影光Ｌ１の少なくとも一部が他面１２Ｂで反射して一面１２Ａ側に戻るような場合がある。
【０３２７】
そして異方性光学素子１２は、このように他面１２Ｂで撮影光Ｌ１の少なくとも一部が反射して一面１２Ａに戻ると、当該撮影光Ｌ１の少なくとも一部が、さらに一面１２Ａで反射して他面１２Ｂから出射するような場合がある。
【０３２８】
しかしながら、異方性光学素子１２は、他面１２Ｂに反射防止膜１２Ｃが形成されていることにより、一面１２Ａに入射した撮影光Ｌ１が他面１２Ｂで反射することを低減させることができる。
【０３２９】
よって異方性光学素子１２は、被写体を撮影する場合、一面１２Ａに入射した撮影光Ｌ１が他面１２Ｂで反射することに起因する写真画像や動画像等へのゴースト像の発生を低減させることができる。
【０３３０】
また異方性光学素子１２の一面１２Ａには、例えば、図１６に示すような、６００［ｎｍ］付近の波長を境にして短い波長の光を、ほぼ１００［％］の透過率で透過させ、長い波長の光を遮光するような特性の赤外線カットフィルタ膜１２Ｄが形成されている。
【０３３１】
すなわち、異方性光学素子１２は、撮像光軸に沿って到来する撮影光Ｌ１を、赤外線カットフィルタ膜１２Ｄにより、当該撮影光Ｌ１に含まれる赤外線の成分を除去して一面１２Ａに入射させることができる。
【０３３２】
よってデジタルスチルカメラ１は、撮像部１０において、異方性光学素子１２の前段に、独立した光学素子としての赤外線カットフィルタを設けることなく、撮影光Ｌ１に含まれる赤外線の成分を除去することができ、撮像部１０の構成を簡易化することができる。
【０３３３】
次いで、図１７及び図１８に示すフローチャートを用いて、異方性光学素子１２の配置角度を制御して被写体を撮影する撮像制御処理手順ＲＴ１及びＲＴ２について説明する。
【０３３４】
制御部５は、操作部７の操作に応じて写真撮影モードに移行すると、内部のメモリに予め記憶された撮像制御プログラムに従って、図１７に示す写真撮影モード時の撮像制御処理手順ＲＴ１を開始する。
【０３３５】
制御部５は、写真撮影モード時の撮像制御処理手順ＲＴ１を開始すると、ステップＳＰ１において、角度可変部２３を介して異方性光学素子１２を第４配置角度に設定して被写体を連続撮影し始め、次のステップＳＰ２に移る。
【０３３６】
ステップＳＰ２において制御部５は、操作部７を介して写真撮影が指示されたか否かを判別する。このステップＳＰ２において否定結果が得られると、このことはユーザにより未だ、被写体を連続撮影して得られる確認用画像を介して、当該被写体の写真撮影用に撮影状態が確認されている途中であることを表している。ステップＳＰ２において制御部５は、係る否定結果を得ると、ステップＳＰ３に移る。
【０３３７】
ステップＳＰ３において制御部５は、写真撮影モードを終了するか否かを判別する。このステップＳＰ３において否定結果が得られると、このことはユーザにより未だ、被写体を連続撮影して得られる確認用画像を介して、当該被写体の写真撮影用に撮影状態が確認されている途中であることを表している。ステップＳＰ３において制御部５は、係る否定結果を得ると、ステップＳＰ２に戻る。
【０３３８】
このようにして制御部５は、この後、ステップＳＰ２又はステップＳＰ３において肯定結果を得るまでの間、当該ステップＳＰ２及びステップＳＰ３の処理を循環的に繰り返し実行する。これにより制御部５は、被写体を連続撮影しながら、当該被写体の撮影状態を確認させることができる。
【０３３９】
ところで、ステップＳＰ２において肯定結果が得られると、このことはユーザによる被写体の撮影状態の確認が済み、操作部７を介して写真撮影が指示されたことを表している。ステップＳＰ２において制御部５は、係る肯定結果を得ると、ステップＳＰ４に移る。
【０３４０】
ステップＳＰ４において制御部５は、このとき選択されている撮影方式が第１撮影方式であるか否かを判別する。このステップＳＰ４において肯定結果が得られると、このことは例えば、このとき被写体として自然な模様を写真撮影するために第１撮影方式が選択されていることを表している。ステップＳＰ４において制御部５は、係る肯定結果を得ると、次のステップＳＰ５に移る。
【０３４１】
ステップＳＰ５において制御部５は、角度可変部２３を介して異方性光学素子１２を第１配置角度に設定して被写体を写真撮影した後、次のステップＳＰ６に移る。
【０３４２】
そしてステップＳＰ６において制御部５は、角度可変部２３を介して異方性光学素子１２を再び第４配置角度に設定して被写体の連続撮影を再開し、ステップＳＰ３に移る。
【０３４３】
これに対しステップＳＰ４において否定結果が得られると、このことは例えば、このとき被写体として人工的な規則性のある模様を写真撮影するために第２撮影方式が選択されていることを表している。ステップＳＰ４において制御部５は、係る否定結果を得ると、ステップＳＰ７に移る。
【０３４４】
ステップＳＰ７において制御部５は、角度可変部２３を介して異方性光学素子１２を第２配置角度に設定して被写体を写真撮影した後、次のステップＳＰ６に移る。
【０３４５】
そしてステップＳＰ６において制御部５は、角度可変部２３を介して異方性光学素子１２を再び第４配置角度に設定して被写体の連続撮影を再開し、ステップＳＰ３に移る。
【０３４６】
このようにして制御部５は、写真撮影モード時、ユーザに被写体を連続撮影して得られる確認用画像を介して、当該被写体の撮影状態を確認させながら、その被写体を適宜、第１撮影方式や第２撮影方式で写真撮影することができる。
【０３４７】
そしてステップＳＰ３において肯定結果が得られると、このことはユーザにより操作部７を介して動画撮影モードや再生モード等の他のモードへの移行、又はデジタルスチルカメラ２の動作停止が指示されたことを表している。
【０３４８】
ステップＳＰ３において制御部５は、係る肯定結果を得ると、写真撮影モードを終了して、次のステップＳＰ８に移り、係る写真撮影モード時の撮像制御処理手順ＲＴ１を終了する。
【０３４９】
また制御部５は、操作部７の操作に応じて動画撮影モードに移行すると、内部のメモリに予め記憶された撮像制御プログラムに従って、図１８に示す動画撮影モード時の撮像制御処理手順ＲＴ２を開始する。
【０３５０】
制御部５は、動画撮影モード時の撮像制御処理手順ＲＴ２を開始すると、ステップＳＰ１１において、角度可変部２３を介して異方性光学素子１２を第４配置角度に設定して被写体を連続撮影し始め、次のステップＳＰ１２に移る。
【０３５１】
ステップＳＰ１２において制御部５は、操作部７を介して動画撮影の開始が指示されたか否かを判別する。このステップＳＰ１２において否定結果が得られると、このことはユーザにより未だ、被写体を連続撮影して得られる確認用画像を介して、当該被写体の動画撮影用に撮影状態が確認されている途中であることを表している。ステップＳＰ１２において制御部５は、係る否定結果を得ると、ステップＳＰ１３に移る。
【０３５２】
ステップＳＰ１３において制御部５は、動画撮影モードを終了するか否かを判別する。このステップＳＰ１３において否定結果が得られると、このことはユーザにより未だ、被写体を連続撮影して得られる確認用画像を介して、当該被写体の動画撮影用に撮影状態が確認されている途中であることを表している。ステップＳＰ１３において制御部５は、係る否定結果を得ると、ステップＳＰ１２に戻る。
【０３５３】
このようにして制御部５は、この後、ステップＳＰ１２又はステップＳＰ１３において肯定結果を得るまでの間、当該ステップＳＰ１２及びステップＳＰ１３の処理を循環的に繰り返し実行する。これにより制御部５は、被写体を連続撮影しながら、当該被写体の撮影状態を確認させることができる。
【０３５４】
ところで、ステップＳＰ１２において肯定結果が得られると、このことはユーザによる被写体の撮影状態の確認が済み、操作部７を介して動画撮影の開始が指示されたことを表している。ステップＳＰ１２において制御部５は、係る肯定結果を得ると、ステップＳＰ１４に移る。
【０３５５】
ステップＳＰ１４において制御部５は、角度可変部２３を介して異方性光学素子１２を第３配置角度に設定して被写体の動画撮影を開始した後、次のステップＳＰ１５に移る。
【０３５６】
ステップＳＰ１５において制御部５は、ユーザにより操作部７を介して動画撮影の終了が指示されることを待ち受ける。
【０３５７】
そしてステップＳＰ１５において制御部５は、ユーザにより動画撮影の終了が指示されると、被写体の動画撮影を終了した後、次のステップＳＰ１６に移る。
【０３５８】
ステップＳＰ１６において制御部５は、角度可変部２３を介して異方性光学素子１２を再び第４配置角度に設定して被写体の連続撮影を再開し、ステップＳＰ１３に移る。
【０３５９】
このようにして制御部５は、動画撮影モード時、ユーザに被写体を連続撮影して得られる確認用画像を介して、当該被写体の撮影状態を確認させながら、その被写体を適宜、動画撮影することができる。
【０３６０】
そしてステップＳＰ１３において肯定結果が得られると、このことはユーザにより操作部７を介して写真撮影モードや再生モード等の他のモードへの移行、又はデジタルスチルカメラ２の動作停止が指示されたことを表している。
【０３６１】
ステップＳＰ１３において制御部５は、係る肯定結果を得ると、動画撮影モードを終了して、次のステップＳＰ１７に移り、係る動画撮影モード時の撮像制御処理手順ＲＴ２を終了する。
【０３６２】
［１−２．実施の形態の動作及び効果］
以上の構成において、デジタルスチルカメラ１は、第２撮影方式で被写体を写真撮影する場合、撮像素子１５において撮像面１５Ａに結像した撮影像を、画素を間引かずに空間サンプリングするようにして写真画像を生成する。
【０３６３】
またデジタルスチルカメラ１は、第３撮影方式で被写体を動画撮影する場合、撮像素子１５において撮像面１５Ａに結像した撮影像を垂直方向に沿って画素を間引いて２ラインおきに１ラインの画素を用いて空間サンプリングするようにして動画像を生成する。
【０３６４】
さらにデジタルスチルカメラ１は、第４撮影方式で被写体を連続撮影する場合、撮像素子１５において撮像面１５Ａに結像した撮影像を垂直方向に沿って画素を間引いて４ラインおきに１ラインの画素を用いて空間サンプリングするようにして確認用画像を生成する。
【０３６５】
そしてデジタルスチルカメラ１は、このように第２撮影方式乃至第４撮影方式で被写体を撮影する場合、当該第２撮影方式乃至第４撮影方式に応じて、角度可変部２３を介して異方性光学素子１２の配置角度を可変して、撮影光Ｌ１を通常光線及び異常光線に分離する際の分離幅を可変する。
【０３６６】
すなわち、デジタルスチルカメラ１は、第２撮影方式乃至第４撮影方式で被写体を撮影する場合、当該第２撮影方式乃至第４撮影方式に応じて、角度可変部２３を介して異方性光学素子１２を第２配置角度乃至第４配置角度で配置して光学ローパスフィルタとして機能させつつ、撮影光Ｌ１を通常光線及び異常光線に分離する際の分離幅を可変する。
【０３６７】
これによりデジタルスチルカメラ１は、第２撮影方式乃至第４撮影方式に応じて撮影像を垂直方向に、空間サンプリングの際の画素の当該垂直方向の画素ピッチ程度ぼかす。
【０３６８】
従ってデジタルスチルカメラ１は、第２撮影方式乃至第４撮影方式で被写体を撮影する場合、それぞれ撮影像を空間サンプリングする際の画素の垂直方向の画素ピッチ（第１画素ピッチ乃至第３画素ピッチ）と共に垂直方向に対する空間サンプリング周波数及びナイキスト周波数が異なっても、撮影像において垂直方向に対し当該画素ピッチに応じたナイキスト周波数以上の空間周波数の高周波成分を除去することができる。
【０３６９】
よってデジタルスチルカメラ１は、第２撮影方式乃至第４撮影方式で被写体として例えば、人工的な規則性のある模様を撮影する場合、撮像素子１５による撮影像の空間サンプリングの際に折返歪みが生じることを低減させることができる。
【０３７０】
このためデジタルスチルカメラ１は、第２撮影方式乃至第４撮影方式で被写体として例えば、人工的な規則性のある模様を撮影する場合、その撮影によって得られる画像（写真画像や動画像、確認用画像）に偽色や色モアレが発生することを低減させることができる。
【０３７１】
以上の構成によれば、デジタルスチルカメラ１は、撮像素子１５において撮像面１５Ａに結像した撮影像を空間サンプリングする際の画素の垂直方向の画素ピッチが第１画素ピッチ乃至第３画素ピッチのように異なる第２撮影方式乃至第４撮影方式でそれぞれ被写体を撮影する際、当該第２撮影方式乃至第４撮影方式に応じて角度可変部２３を介して異方性光学素子１２の配置角度を可変することにより撮影光Ｌ１を通常光線及び異常光線に分離する際の分離幅を第１画素ピッチ乃至第３画素ピッチに相当する第１分離幅乃至第３分離幅に可変して、撮影像を垂直方向に当該第１画素ピッチ乃至第３画素ピッチ程度ぼかすようにした。
【０３７２】
これによりデジタルスチルカメラ１は、第２撮影方式乃至第４撮影方式で被写体として人工的な規則性のある模様を撮影する場合、それぞれ撮影像を空間サンプリングする際の画素の垂直方向の画素ピッチと共に当該垂直方向に対する空間サンプリング周波数及びナイキスト周波数が異なっても、撮影像において垂直方向に対し当該画素ピッチに応じたナイキスト周波数以上の空間周波数の高周波成分を除去して、撮像素子１５による撮影像の空間サンプリングにおいて折返歪みが生じることを低減させることができる。従ってデジタルスチルカメラ１は、第２撮影方式乃至第４撮影方式の何れで被写体を撮影しても、その撮影により得られる画像について偽色や色モアレが発生することを低減させて画質が劣化することを防止することができる。
【０３７３】
またデジタルスチルカメラ１は、第２撮影方式乃至第４撮影方式で被写体を撮影する場合、撮影像を空間サンプリングする際の画素の水平方向の第４画素ピッチに応じて、光学ローパスフィルタ１４により撮影光Ｌ１を水平方向に対して当該第４画素ピッチに相当する第４分離幅で通常光線及び異常光線に分離して、撮像面１５Ａに結像した撮影像を水平方向にも当該第４画素ピッチ程度ぼかすようにした。
【０３７４】
これによりデジタルスチルカメラ１は、第２撮影方式乃至第４撮影方式で被写体として人工的な規則性のある模様を撮影する場合、撮影像において水平方向に対し第４画素ピッチに応じたナイキスト周波数以上の空間周波数の高周波成分も除去することができる。
【０３７５】
よってデジタルスチルカメラ１は、第２撮影方式乃至第４撮影方式で被写体として人工的な規則性のある模様を撮影する場合、撮像素子１５による撮影像の空間サンプリングにおいて折返歪みが生じることをさらに低減させることができる。
【０３７６】
このためデジタルスチルカメラ１は、第２撮影方式乃至第４撮影方式の何れで被写体を撮影しても、その撮影により得られる画像について偽色や色モアレが発生することを、さらに低減させて画質が劣化することをほぼ確実に防止することができる。
【０３７７】
さらにデジタルスチルカメラ１では、第１撮影方式で被写体を写真撮影する場合、撮像素子１５において撮像面１５Ａに結像した撮影像を、画素を垂直方向へは間引かずに空間サンプリングするようにして写真画像を生成する。
【０３７８】
そしてデジタルスチルカメラ１は、第１撮影方式で被写体を写真撮影する場合、当該第１撮影方式に応じて、角度可変部２３を介して異方性光学素子１２を第１配置角度で配置して光学ローパスフィルタとしての機能を停止させ、撮影光Ｌ１を通常光線及び異常光線に分離しないようにした。
【０３７９】
従ってデジタルスチルカメラ１は、第１撮影方式で被写体を写真撮影する場合、撮影像を垂直方向にはぼかさないようにすることができる。
【０３８０】
よってデジタルスチルカメラ１は、第１撮影方式で被写体として自然な模様を写真撮影する場合、撮像素子１５の撮像面１５Ａに結像する撮影像の解像度が低下することを極力防止して、写真画像の画質の劣化を極力低減させることができる。
【０３８１】
さらにデジタルスチルカメラ１では、異方性光学素子１２の一面１２Ａに赤外線カットフィルタ膜１２Ｄを形成し、当該異方性光学素子１２において撮影光Ｌ１を、赤外線カットフィルタ膜１２Ｄにより赤外線の成分を除去して一面１２Ａに入射させるようにした。
【０３８２】
よってデジタルスチルカメラ１は、撮像部１０において、異方性光学素子１２の前段に、独立した光学素子としての赤外線カットフィルタを設けることなく、撮影光Ｌ１に含まれる赤外線の成分を除去することができ、撮像部１０の構成を簡易化することができる。
【０３８３】
さらにデジタルスチルカメラ１では、異方性光学素子１２の他面１２Ｂに反射防止膜１２Ｃを形成するようにした。
【０３８４】
よってデジタルスチルカメラ１は、被写体を撮影する場合、異方性光学素子１２において一面１２Ａに入射した撮影光Ｌ１が他面１２Ｂで反射することを防止して、その反射に起因する写真画像や動画像等へのゴースト像の発生を低減させることができる。
【０３８５】
＜２．変形例＞
［２−１  変形例１］
なお上述した実施の形態においては、第１撮影方式乃至第４撮影方式の何れで被写体を撮影するときにも光学ローパスフィルタ１４により撮影光ｌ１を水平方向に対して通常光線及び異常光線に分離するようにした場合について述べた。
【０３８６】
しかしながら本発明は、これに限らず、第１撮影方式で被写体を写真撮影するときには、光学ローパスフィルタ１４により撮影光Ｌ１を水平方向に対して通常光線及び異常光線には分離しないようにする。
【０３８７】
そして本発明は、第２撮影方式乃至第４撮影方式で被写体を撮影するときにだけ、光学ローパスフィルタ１４により撮影光Ｌ１を水平方向に対して通常光線及び異常光線に分離するようにしても良い。
【０３８８】
本発明は、係る構成を実現する場合、例えば、第１撮影方式で被写体を写真撮影するときには、光学ローパスフィルタ１４を撮像素子１５の撮像面１５Ａの前から退避させて、撮影光Ｌ１を水平方向に対して通常光線及び異常光線には分離し得ないようにする。
【０３８９】
そして本発明は、第２撮影方式乃至第４撮影方式で被写体を撮影するときだけは、光学ローパスフィルタ１４を撮像素子１５の撮像面１５Ａの前に配置して、撮影光Ｌ１を水平方向に対して通常光線及び異常光線に分離するようにしても良い。
【０３９０】
また本発明は、係る構成を実現する場合、光学ローパスフィルタ１４に換えて、例えば、光学的異方性を有する一軸性結晶でなり、撮影光Ｌ１を水平方向に対して通常光線及び異常光線に分離する際の分離幅を、配置角度に応じて可変可能な光学素子（すなわち、異方性光学素子）を設けるようにする。
【０３９１】
そして本発明は、係る光学素子用の、ギヤやモータ等を有する角度可変部を介して当該光学素子の配置角度を可変するようにして、係る光学素子の配置角度に応じて、撮影光Ｌ１の水平方向に対する通常光線及び異常光線への分離の有無を制御するようにしても良い。
【０３９２】
すなわち、本発明は、第１撮影方式で被写体を写真撮影するとき、係る光学素子を所定の配置角度で配置して、撮影光Ｌ１を水平方向に対して通常光線及び異常光線には分離しないようにする。
【０３９３】
また本発明は、第２撮影方式乃至第４撮影方式で被写体を撮影するとき、係る光学素子を第１撮影方式による写真撮影時とは異なる配置角度で配置して、撮影光Ｌ１を水平方向に対して通常光線及び異常光線に分離するようにしても良い。
【０３９４】
本発明は、係る構成によれば、第１撮影方式で被写体を写真撮影した場合、撮像素子１５の撮像面１５Ａに結像する撮影像を、垂直方向のみならず、水平方向にも何らぼかさないようにすることができる。
【０３９５】
よって本発明は、第１撮影方式で例えば、被写体として自然な模様を写真撮影した場合、撮像面１５Ａに結像した撮影像の解像度が低下することを防止して、その写真撮影によって得られる写真画像の画質の劣化を格段的に低減させることができる。
【０３９６】
因みに、本発明は、上述のように光学ローパスフィルタ１４に換えて、光学的異方性を有する光学素子を設ける場合、異方性光学素子１２の他面１２Ｂ及び当該光学素子の他面の少なくとも一方に反射防止膜を形成するようにしても良い。
【０３９７】
また本発明は、上述のように光学ローパスフィルタ１４に換えて、光学的異方性を有する光学素子を設ける場合、異方性光学素子１２の一面１２Ａ及び当該光学素子の一面の少なくとも一方に赤外線カットフィルタ膜を形成するようにしても良い。本発明は、これらの構成によっても上述した実施の形態と同様の効果を得ることができる。
【０３９８】
［２−２  変形例２］
また上述した実施の形態においては、第３撮影方式及び第４撮影方式で被写体を撮影する際、撮像素子１５において水平方向と平行なライン単位で受光部を間引いて当該撮影に利用するようにした場合について述べた。
【０３９９】
しかしながら、本発明は、これに限らず、第３撮影方式及び第４撮影方式で被写体を撮影する際、撮像素子１５において垂直方向と平行なライン単位で受光部を異なる割合で間引いて当該撮影に利用するようにしても良い。
【０４００】
さらに上述の実施の形態においては、撮像面１５Ａにおいて水平方向に２画素×垂直方向に２画素の４画素毎に、左上及び右下の画素の位置にはＲ及びＢのカラーフィルタＲＣＦ及びＢＣＦが配置されると共に、左下及び右上の画素の位置にはＧのカラーフィルタＧＣＦが配置された撮像素子１５を用いるようにした。
【０４０１】
しかしながら、本発明はこれに限らず、撮像面に、この他種々のパターンでＲ、Ｇ、ＢのカラーフィルタＲＣＦ、ＧＣＦ、ＢＣＦが配置された撮像素子を用いるようにしても良い。
【０４０２】
そして本発明は、第３撮影方式及び第４撮影方式で被写体を撮影する際、撮像素子の撮像面に配置されたＲ、Ｇ、ＢのカラーフィルタＲＣＦ、ＧＣＦ、ＢＣＦのパターンに応じて、当該撮像素子において市松模様等のような種々のパターンで受光部を間引いて当該撮影に利用するようにしても良い。
【０４０３】
ところで、本発明は、例えば、撮像素子において垂直方向と平行なライン単位で受光部を間引いて撮影に利用するように構成する場合、図１９（Ａ）及び（Ｂ）に示すように、異方性光学素子１２に換えて光学ローパスフィルタ３０を固設する。
【０４０４】
また本発明は、光学ローパスフィルタ１４に換えて、例えば、光学的異方性を有する一軸性結晶でなる光学素子３１を、垂直方向と平行な回動軸を中心にして矢印Ｅで示す方向及びこれとは逆の方向に回動自在に（すなわち、配置角度を可変可能に）配置する。
【０４０５】
そして本発明は、光学ローパスフィルタ３０により、撮像光軸に沿って一面３０Ａに入射する撮影光Ｌ１を、垂直方向に対して例えば、第１分離幅で通常光線及び異常光線に分離して他面３０Ｂから出射する。
【０４０６】
また本発明は、第１撮影方式及び第４撮影方式に応じて光学素子３１用のギヤやモータ等を有する角度可変部を介して当該光学素子３１の配置角度を可変する。
【０４０７】
これにより本発明は、光学素子３１の一面３１Ａに入射した撮影光Ｌ１を水平方向に対して通常光線及び異常光線に分離する際の分離幅を制御する。
【０４０８】
すなわち、本発明は、例えば、第１撮影方式で被写体を写真撮影する場合、光学素子３１を所定の配置角度で配置することで、当該光学素子３１により一面３１Ａに入射した撮影光Ｌ１を水平方向に対して通常光線及び異常光線に分離しないようにする。
【０４０９】
また本発明は、例えば、第２撮影方式乃至第４撮影方式で被写体を撮影する場合、角度可変部を介して光学素子３１の配置角度を可変して、撮影光Ｌ１の水平方向に対する通常光線及び異常光線への分離幅を、撮影像を空間サンプリングする際の画素の水平方向の画素ピッチに相当する分離幅に調整する。
【０４１０】
これにより本発明は、第２撮影方式乃至第４撮影方式で被写体を撮影する場合、光学素子３１により一面３１Ａに入射した撮影光Ｌ１を水平方向に対して、撮影像を空間サンプリングする際の画素の水平方向の画素ピッチに相当する分離幅で通常光線及び異常光線に分離して他面３１Ｂから出射する。
【０４１１】
本発明は、係る構成によれば、撮像素子において画素を垂直方向と平行なライン単位で間引くようにしても、撮影光Ｌ１の水平方向に対する通常光線及び異常光線の分離幅を的確に制御することができ、上述した実施の形態の場合と同様の効果を得ることができる。
【０４１２】
因みに、本発明は、係る構成を実現する場合、例えば、第１撮影方式で被写体を写真撮影するときには、光学ローパスフィルタ３０を撮影光Ｌ１の光路から退避させて、撮影光Ｌ１を水平方向に対して通常光線及び異常光線には分離し得ないようにする。
【０４１３】
そして本発明は、第２撮影方式乃至第４撮影方式で被写体を撮影するときだけは、光学ローパスフィルタ３０を撮影光Ｌ１の光路に配置して、当該撮影光Ｌ１を水平方向に対して通常光線及び異常光線に分離するようにしても良い。
【０４１４】
本発明は、係る構成を追加すると、変形例１と同様に、第１撮影方式で被写体を写真撮影した場合、撮像素子の撮像面に結像する撮影像を、水平方向のみならず、垂直方向へも何らぼかさないようにすることができる。
【０４１５】
よって本発明は、第１撮影方式で例えば、被写体として自然な模様を写真撮影するとき、撮像面に結像した撮影像の解像度が低下することを防止して、その写真撮影によって得られる写真画像の画質の劣化を格段的に低減させることができる。
【０４１６】
これに加えて本発明は、例えば、撮像素子において市松模様等のようなパターンで受光部を間引いて撮影に利用するように構成する場合、図１９（Ａ）及び（Ｂ）との対応部分に同一符号を付した図２０（Ａ）及び（Ｂ）に示すように、光学ローパスフィルタ１４に換えて光学素子３１を設ける。
【０４１７】
そして本発明は、被写体を撮影する際の第１撮影方式乃至第４撮影方式に応じて、異方性光学素子１２の配置角度及び光学素子３１の配置角度を可変する。
【０４１８】
すなわち、本発明は、第１撮影方式乃至第４撮影方式に応じて異方性光学素子１２の配置角度を可変して、当該異方性光学素子１２の一面１２Ａに入射した撮影光Ｌ１を垂直方向に対して通常光線及び異常光線に分離する際の分離幅を制御する。
【０４１９】
また本発明は、第１撮影方式乃至第４撮影方式に応じて光学素子３１の配置角度を可変して、当該光学素子３１の一面３１Ａに入射した撮影光Ｌ１を水平方向に対して通常光線及び異常光線に分離する際の分離幅を制御する。
【０４２０】
本発明は、係る構成によれば、撮像素子において市松模様等のようなパターンで受光部を間引いて撮影に利用するようにしても、撮影光Ｌ１の垂直方向及び水平方向に対する通常光線及び異常光線への分離幅を的確に制御することができ、上述した実施の形態の場合と同様の効果を得ることができる。
【０４２１】
因みに、本発明は、係る構成を、上述の変形例１で示した異方性光学素子１２及び光学素子の配置角度を共に可変可能にする構成に適用することもできる。
【０４２２】
また本発明は、係る構成を、上述した撮像素子において垂直方向と平行なライン単位で受光部を間引いて撮影に利用する場合の構成に適用し、光学ローパスフィルタ３０の換わりに異方性光学素子１２を配置することもできる。
【０４２３】
因みに、本発明は、上述のように光学ローパスフィルタ１４に換えて、光学的異方性を有する光学素子３１を設ける場合も、変形例１で上述した場合と同様に、異方性光学素子１２の他面１２Ｂ及び光学素子３１の他面３１Ｂの少なくとも一方に反射防止膜を形成するようにしても良い。
【０４２４】
また本発明は、異方性光学素子１２の一面１２Ａ及び光学素子３１の一面３１Ａの少なくとも一方に赤外線カットフィルタ膜を形成するようにしても良い。本発明は、これらの構成によっても上述した実施の形態と同様の効果を得ることができる。
【０４２５】
［２−３  変形例３］
さらに上述した実施の形態においては、本発明の撮像装置を、図１乃至図２０について上述したデジタルスチルカメラ１に適用するようにした場合について述べた。
【０４２６】
しかしながら本発明は、これに限らず、デジタルビデオカメラや、撮影機能を有するＰＤＡ（Personal  Digital  Assistance）、パーソナルコンピュータ、携帯電話機及びゲーム機器等のように、この他種々の構成の撮像装置に適用することができる。
【０４２７】
［２−４  変形例４］
さらに上述した実施の形態においては、本発明による撮像制御プログラムを制御部５の内部のメモリに予め記憶された撮像制御プログラムに適用するようにした場合について述べた。
【０４２８】
そして上述した実施の形態においては、制御部５が撮像制御プログラムに従って、図１７について上述した写真撮影モード時の撮像制御処理手順ＲＴ１と、図１８について上述した動画撮影モード時の撮像制御処理手順ＲＴ２とを実行するようにした場合について述べた。
【０４２９】
しかしながら本発明は、これに限らず、デジタルスチルカメラ１が撮像制御プログラムの記憶されたコンピュータ読取可能な記憶媒体によって当該撮像制御プログラムをインストールするようにしても良い。
【０４３０】
そして制御部５が、そのインストールした撮像制御プログラムに従って撮像制御処理手順ＲＴ１及びＲＴ２を実行するようにしても良い。
【０４３１】
またデジタルスチルカメラ１は、ローカルエリアネットワークやインターネット、デジタル衛星放送等の有線及び無線通信媒体を利用して外部から撮像制御プログラムをインストールするようにしても良い。
【０４３２】
そして撮像制御プログラムをデジタルスチルカメラ１にインストールして実行可能な状態にするためのコンピュータ読取可能な記憶媒体としては、例えば、フレキシブルディスクのようなパッケージメディアで実現しても良い。
【０４３３】
また撮像制御プログラムをデジタルスチルカメラ１にインストールして実行可能な状態にするためのコンピュータ読取可能な記憶媒体としては、例えば、ＣＤ−ＲＯＭ（ComＣＡct  Disc-Read  Only  Memory）のようなパッケージメディアで実現しても良い。
【０４３４】
さらに撮像制御プログラムをデジタルスチルカメラ１にインストールして実行可能な状態にするためのコンピュータ読取可能な記憶媒体としては、例えば、ＤＶＤ（Digital  Versatile  Disc）等のパッケージメディアで実現しても良い。
【０４３５】
さらに、かかるコンピュータ読取可能な記憶媒体としては、パッケージメディアのみならず、各種プログラムが一時的もしくは永続的に記憶される半導体メモリや磁気ディスク等で実現しても良い。
【０４３６】
また、これらコンピュータ読取可能な記憶媒体に撮像制御プログラムを記憶する手段としては、ローカルエリアネットワークやインターネット、デジタル衛星放送等の有線及び無線通信媒体を利用するようにしても良い。
【０４３７】
さらにコンピュータ読取可能な記憶媒体には、ルータやモデム等の各種通信インタフェースを介して撮像制御プログラムを記憶するようにしても良い。
【０４３８】
［２−５  変形例５］
さらに上述した実施の形態においては、光学的異方性を有し、配置角度の可変に応じて、被写体を撮影するための撮影光の一方向に対する２つの光線への分離幅を可変可能な光学素子として、図１乃至図２０について上述した光学的異方性を有するＰＥＴ（ポリエチレンテレフタレート）によって形成された一軸性結晶でなる異方性光学素子１２を適用するようにした場合について述べた。
【０４３９】
しかしながら本発明は、これに限らず、光学的異方性を有するＰＥＮ（ポリエチレンナフタレート）や、ＰＰ（ポリプロピレン）によって形成された一軸性結晶でなる光学素子を適用することができる。
【０４４０】
また本発明は、光学素子として、水晶から光学軸と直交する一面及び他面を有するように切り出して形成された一軸性結晶でなる光学素子や、Ｘ屈折率及びＹ屈折率の異なる二軸性結晶でなり、撮影光を垂直方向に対して２つの光線としての２つの異常光線に分離する光学素子を適用することもできる。
【０４４１】
さらに本発明は、光学素子として、変形例１で上述した光学素子や、図１９及び図２０について上述した光学素子３１等のように、この他種々の構成の光学素子を広く適用することができる。
【０４４２】
［２−６  変形例６］
さらに上述した実施の形態においては、光学素子を介して得られる撮影光を、撮像面において画像を形成するための一方向及び当該一方向と直交する他方向のマトリクス状の複数の画素の位置に配置された複数の受光部で受光して光電変換信号を生成する撮像素子として、図１乃至図２０について上述した、撮像面１５Ａの複数の画素の位置の受光部上にＲ、Ｇ、Ｂの複数のカラーフィルタＲＣＦ、ＧＣＦ、ＢＣＦがベイヤ型配列で配置された撮像素子１５を適用するようにした場合について述べた。
【０４４３】
しかしながら本発明は、これに限らず、撮像面の複数の画素の位置それぞれの受光部により３色分の信号（すなわち、受光部毎に３色分の信号）を出力可能な撮像素子等のように、この他種々の構成の撮像素子を広く適用することができる。
【０４４４】
因みに、撮像面の複数の画素の位置それぞれの受光部により３色分の信号を出力可能な撮像素子では、人工的な規則性のある模様の撮影に応じて、撮影像を空間サンプリングすると、画像に色モアレは発生しないが輝度モアレが発生する場合がある。
【０４４５】
ただし、本発明では、このような撮像素子を用いる場合でも、撮影方式に応じて異方性光学素子１２の配置角度を可変することで、上述と同様に撮影像において空間周波数のナイキスト周波数以上の高周波成分を除去して、画像に輝度モアレが生じることを低減させることができる。
【０４４６】
［２−７  変形例７］
さらに上述した実施の形態においては、光学素子の配置角度を可変するための角度可変部として、図１乃至図２０について上述したギヤやモータ等を有する角度可変部２３を適用するようにした場合について述べた。
【０４４７】
しかしながら本発明は、これに限らず、モータやピニオンギヤ等を有する角度可変部等のように、この他種々の構成の角度可変部を広く適用することができる。
【０４４８】
［２−８  変形例８］
さらに上述した実施の形態においては、撮像素子で光電変換信号の生成に用いる受光部に対応する画素の一方向の画素ピッチが異なる複数の撮影方式でそれぞれ被写体を撮影する際、光学素子を当該撮影方式に応じた配置角度で配置するように角度可変部を制御する制御部として、図１乃至図２０について上述したマイクロプロセッサ構成の制御部５を適用するようにした場合について述べた。
【０４４９】
しかしながら本発明は、これに限らず、ＣＰＵ（Central  Processing  Unit）やＤＳＰ（Digital  Signal  Processor）等のように、この他種々の構成の制御部を広く適用することができる。
【０４５０】
［２−９  変形例９］
さらに上述した実施の形態においては、光学素子の前、又は当該光学素子と撮像素子の撮像面との間に配置され、光学的異方性を有し、配置角度の可変に応じて、撮影光の他方向に対する２つの光線への分離幅を可変可能な他の光学素子として、図１乃至図２０について上述した光学素子３１を適用するようにした場合について述べた。
【０４５１】
しかしながら本発明は、これに限らず、光学的異方性を有するＰＥＴ（ポリエチレンテレフタレート）や、ＰＥＮ（ポリエチレンナフタレート）、ＰＰ（ポリプロピレン）によって形成された一軸性結晶でなる光学素子を適用することができる。
【０４５２】
また本発明は、他の光学素子として、水晶から光学軸と直交する一面及び他面を有するように切り出して形成された一軸性結晶でなる光学素子や、ＸＸ屈折率及びＹ屈折率の異なる二軸性結晶でなり、撮影光を水平方向に対して２つの光線としての２つの異常光線に分離する光学素子を適用することもできる。
【０４５３】
さらに本発明は、他の光学素子として、異方性光学素子１２等のように、この他種々の構成の光学素子を広く適用することができる。
【０４５４】
［２−１０  変形例１０］
さらに上述した実施の形態においては、他の光学素子の配置角度を可変するための他の角度可変部として、図１乃至図２０について上述したギヤやモータ等を有する角度可変部を適用するようにした場合について述べた。
【０４５５】
しかしながら本発明は、これに限らず、モータやピニオンギヤ等を有する角度可変部等のように、この他種々の構成の角度可変部を広く適用することができる。
【産業上の利用可能性】
【０４５６】
本発明は、デジタルスチルカメラやデジタルビデオカメラ等の撮像装置に利用することができる。
【符号の説明】
【０４５７】
１……デジタルスチルカメラ、５……制御部、１２……異方性光学素子、１２Ｃ……反射防止膜、１２Ｄ……赤外線カットフィルタ膜、１５……撮像素子、１５Ａ……撮像面、２３……角度可変部、３１……光学素子、Ｌ１……撮影光、ＲＯ１……通常光線、ＲＥ１……異常光線、ＲＴ１、ＲＴ２……撮像制御処理手順。
【図１】
2012175449.tif 000008
【図２】
2012175449.tif 000009
【図３】
2012175449.tif 000010
【図４】
2012175449.tif 000011
【図５】
2012175449.tif 000012
【図６】
2012175449.tif 000013
【図７】
2012175449.tif 000014
【図８】
2012175449.tif 000015
【図９】
2012175449.tif 000016
【図１０】
2012175449.tif 000017
【図１１】
2012175449.tif 000018
【図１２】
2012175449.tif 000019
【図１３】
2012175449.tif 000020
【図１４】
2012175449.tif 000021
【図１５】
2012175449.tif 000022
【図１６】
2012175449.tif 000023
【図１７】
2012175449.tif 000024
【図１８】
2012175449.tif 000025
【図１９】
2012175449.tif 000026
【図２０】
2012175449.tif 000027